(57)【要約】      （修正有）【課題】基地局装置が、下りリンクのスケジューリングを効率的に行うことができる移動通信システムおよび通信方法を提供する。【解決手段】複数のコンポーネントキャリアを使用して基地局装置１００と移動局装置２００が通信を行う移動通信システムであって、前記基地局装置１００は、ある特定の下りリンクコンポーネントキャリアを前記移動局装置２００へ設定し、チャネル状態情報の送信指示を含む下りリンク制御情報フォーマットを前記移動局装置２００へ通知し、前記移動局装置２００は、前記ある特定の下りリンクコンポーネントキャリアに対応する上りリンクコンポーネントキャリアにおけるＰＵＳＣＨリソースが割り当てられている場合には、前記チャネル状態情報を、前記ある特定の下りリンクコンポーネントキャリアに対応する上りリンクコンポーネントキャリアにおけるＰＵＳＣＨリソースに配置して、前記基地局装置１００へ送信する。【選択図】図１
2011244397.tif 000002
【特許請求の範囲】
【請求項１】
複数のコンポーネントキャリアを使用して基地局装置と移動局装置が通信を行う移動通信システムであって、
前記基地局装置は、
ある特定の下りリンクコンポーネントキャリアを前記移動局装置へ設定し、
チャネル状態情報の送信指示を含む下りリンク制御情報フォーマットを前記移動局装置へ通知し、
前記移動局装置は、
前記ある特定の下りリンクコンポーネントキャリアに対応する上りリンクコンポーネントキャリアにおけるＰＵＳＣＨリソースが割り当てられている場合には、
たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、
前記チャネル状態情報を、前記ある特定の下りリンクコンポーネントキャリアに対応する上りリンクコンポーネントキャリアにおけるＰＵＳＣＨリソースに配置して、前記基地局装置へ送信する
ことを特徴とする移動通信システム。
【請求項２】
複数のコンポーネントキャリアを使用して基地局装置と移動局装置が通信を行う移動通信システムであって、
前記基地局装置は、
ある特定の下りリンクコンポーネントキャリアを前記移動局装置へ設定し、
周期的なチャネル状態情報の送信指示を含むＲＲＣシグナリングを前記移動局装置へ送信し、
非周期的なチャネル状態情報の送信指示を含む下りリンク制御情報フォーマットを前記移動局装置へ通知し、
前記移動局装置は、
前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースが割り当てられている場合には、
たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、
前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記基地局装置へ送信する
ことを特徴とする移動通信システム。
【請求項３】
複数のコンポーネントキャリアを使用して基地局装置と移動局装置が通信を行う移動通信システムにおける基地局装置であって、
ある特定の下りリンクコンポーネントキャリアを前記移動局装置へ設定する手段と、
チャネル状態情報の送信指示を含む下りリンク制御情報フォーマットを前記移動局装置へ通知する手段と、
前記ある特定の下りリンクコンポーネントキャリアに対応する上りリンクコンポーネントキャリアにおけるＰＵＳＣＨリソースを割り当てている場合には、
たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、
前記チャネル状態情報を、前記ある特定の下りリンクコンポーネントキャリアに対応する上りリンクコンポーネントキャリアにおけるＰＵＳＣＨリソースに配置して、前記移動局装置から受信する手段と、
を備えることを特徴とする基地局装置。
【請求項４】
複数のコンポーネントキャリアを使用して基地局装置と移動局装置が通信を行う移動通信システムにおける基地局装置であって、
ある特定の下りリンクコンポーネントキャリアを前記移動局装置へ設定する手段と、
周期的なチャネル状態情報の送信指示を含むＲＲＣシグナリングを前記移動局装置へ送信する手段と、
非周期的なチャネル状態情報の送信指示を含む下りリンク制御情報フォーマットを前記移動局装置へ通知する手段と、
前記移動局装置において、前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てている場合には、
たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、
前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記移動局装置から受信する手段と、
を備えることを特徴とする基地局装置。
【請求項５】
複数のコンポーネントキャリアを使用して基地局装置と移動局装置が通信を行う移動通信システムにおける移動局装置であって、
ある特定の下りリンクコンポーネントキャリアを前記基地局装置によって設定される手段と、
チャネル状態情報の送信指示を含む下りリンク制御情報フォーマットを前記基地局装置によって通知される手段と、
前記ある特定の下りリンクコンポーネントキャリアに対応する上りリンクコンポーネントキャリアにおけるＰＵＳＣＨリソースが割り当てられている場合には、
たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、
前記チャネル状態情報を、前記ある特定の下りリンクコンポーネントキャリアに対応する上りリンクコンポーネントキャリアにおけるＰＵＳＣＨリソースに配置して、前記基地局装置へ送信する手段と、
を備えることを特徴とする移動局装置。
【請求項６】
複数のコンポーネントキャリアを使用して基地局装置と移動局装置が通信を行う移動通信システムにおける移動局装置であって、
ある特定の下りリンクコンポーネントキャリアを前記基地局装置によって設定される手段と、
周期的なチャネル状態情報の送信指示を含むＲＲＣシグナリングを前記基地局装置によって送信される手段と、
非周期的なチャネル状態情報の送信指示を含む下りリンク制御情報フォーマットを前記基地局装置によって通知される手段と、
前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てられている場合には、
たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、
前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記基地局装置へ送信する手段と、
を備えることを特徴とする移動局装置。
【請求項７】
複数のコンポーネントキャリアを使用して基地局装置と移動局装置が通信を行う移動通信システムにおける基地局装置の通信方法であって、
ある特定の下りリンクコンポーネントキャリアを前記移動局装置へ設定し、
チャネル状態情報の送信指示を含む下りリンク制御情報フォーマットを前記移動局装置へ通知し、
前記ある特定の下りリンクコンポーネントキャリアに対応する上りリンクコンポーネントキャリアにおけるＰＵＳＣＨリソースを割り当てている場合には、
たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、
前記チャネル状態情報を、前記ある特定の下りリンクコンポーネントキャリアに対応する上りリンクコンポーネントキャリアにおけるＰＵＳＣＨリソースに配置して、前記移動局装置から受信する
ことを特徴とする通信方法。
【請求項８】
複数のコンポーネントキャリアを使用して基地局装置と移動局装置が通信を行う移動通信システムにおける基地局装置の通信方法であって、
ある特定の下りリンクコンポーネントキャリアを前記移動局装置へ設定し、
周期的なチャネル状態情報の送信指示を含むＲＲＣシグナリングを前記移動局装置へ送信し、
非周期的なチャネル状態情報の送信指示を含む下りリンク制御情報フォーマットを前記移動局装置へ通知し、
前記移動局装置において、前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てている場合には、
たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、
前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記移動局装置から受信する
ことを特徴とする通信方法。
【請求項９】
複数のコンポーネントキャリアを使用して基地局装置と移動局装置が通信を行う移動通信システムにおける移動局装置の通信方法であって、
ある特定の下りリンクコンポーネントキャリアを前記基地局装置によって設定され、
チャネル状態情報の送信指示を含む下りリンク制御情報フォーマットを前記基地局装置によって通知され、
前記ある特定の下りリンクコンポーネントキャリアに対応する上りリンクコンポーネントキャリアにおけるＰＵＳＣＨリソースが割り当てられている場合には、
たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、
前記チャネル状態情報を、前記ある特定の下りリンクコンポーネントキャリアに対応する上りリンクコンポーネントキャリアにおけるＰＵＳＣＨリソースに配置して、前記基地局装置へ送信する
ことを特徴とする通信方法。
【請求項１０】
複数のコンポーネントキャリアを使用して基地局装置と移動局装置が通信を行う移動通信システムにおける移動局装置の通信方法であって、
ある特定の下りリンクコンポーネントキャリアを前記基地局装置によって設定され、
周期的なチャネル状態情報の送信指示を含むＲＲＣシグナリングを前記基地局装置によって送信され、
非周期的なチャネル状態情報の送信指示を含む下りリンク制御情報フォーマットを前記基地局装置によって通知され、
前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てられている場合には、
たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、
前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記基地局装置へ送信する
ことを特徴とする通信方法。
【発明の詳細な説明】
【技術分野】
【０００１】
本発明は、基地局装置および移動局装置から構成される移動通信システムおよび通信方法に関する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」または「ＥＵＴＲＡ（Evolved Universal Terrestrial Radio Access）」と呼称する）、および、より広帯域な周波数帯域を利用して、さらに高速なデータの送受信を実現する移動通信システム（以下、「ＬＴＥ−Ａ（Long Term Evolution-Advanced）」または「Ａｄｖａｎｃｅｄ−ＥＵＴＲＡ」と呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ  ＤＦＴ−Ｓ−ＯＦＤＭ（Discrete Fourier Transform Spread Orthogonal Frequency Division Multiplexing、DFT-s-OFDM with Spectrum Division Control、DFT-precoded OFDM、
Clustered FDMA、DFT-S-OFDMとも呼称される）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ  ＤＦＴ−Ｓ−ＯＦＤＭ方式は、シングルキャリア通信方式およびそれに類似する通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ−Ａでは、一般的な移動通信システムで使用する周波数帯域は連続であるのに対し、連続および／または不連続な複数の周波数帯域（以下、「コンポーネントキャリア、要素キャリア（ＣＣ：Component Carrier）」または「キャリアコンポーネント、キャリア要素（ＣＣ：Carrier Component）」と呼称する）を複合的に使用して、１つの周波数帯域（広帯域な周波数帯域）として運用する（周波数帯域集約： Carrier aggregation、Spectrum aggregation、Frequency aggregationなどとも呼称される）ことが検討されている。さらに、基地局装置と移動局装置が、広帯域な周波数帯域をより柔軟に使用して通信するために、下りリンクの通信に使用される周波数帯域と上りリンクの通信に使用される周波数帯域を異なる周波数帯域幅とする（非対称周波数帯域集約：Asymmetric carrier aggregation）ことも提案されている（非特許文献１）。
【０００６】
図７は、従来の技術における周波数帯域集約された移動通信システムを説明する図である。図７に示されるような下りリンク（ＤＬ：Downlink）の通信に使用される周波数帯域と上りリンク（ＵＬ：Uplink）の通信に使用される周波数帯域を同じ帯域幅とすることは、対称周波数帯域集約（Symmetric carrier aggregation）とも呼称される。図７に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行うことができる。図７では、例として、１００ＭＨｚの帯域幅を持った下りリンクの通信に使用される周波数帯域（以下、ＤＬシステム帯域、ＤＬシステム帯域幅とも呼称する）が、２０ＭＨｚの帯域幅を持った５つの下りリンクコンポーネントキャリア（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用される周波数帯域（以下、ＵＬシステム帯域、ＵＬシステム帯域幅とも呼称する）が、２０ＭＨｚの帯域幅を持った５つの上りリンクコンポーネントキャリア（ＵＣＣ１：Uplink Component Carrier１、ＵＣＣ２、ＵＣＣ３、ＵＣＣ４、ＵＣＣ５）によって構成されていることを示している。
【０００７】
図７において、下りリンクコンポーネントキャリアそれぞれには、物理下りリンク制御チャネル（以下、ＰＤＣＣＨ：Physical Downlink Control Channel）、物理下りリンク共用チャネル（以下、ＰＤＳＣＨ：Physical Downlink Shared Channel）等の下りリンクのチャネルが配置される。基地局装置は、ＰＤＳＣＨを使用して送信される下りリンクトランスポートブロックを送信するための制御情報（リソース割り当て情報、ＭＣＳ（変調符号化方式：Modulation and Coding Scheme）情報、ＨＡＲＱ（ハイブリッド自動再送要求：Hybrid Automatic Repeat Request）処理情報など）を、ＰＤＣＣＨを使用して移動局装置へ割り当て、ＰＤＳＣＨを使用して、下りリンクトランスポートブロックを移動局装置へ送信する。すなわち、図７において、基地局装置は、同一サブフレームで、最大５つまでの下りリンクトランスポートブロック（ＰＤＳＣＨでも良い）を移動局装置へ送信することができる。
【０００８】
また、上りリンクコンポーネントキャリアそれぞれには、物理上りリンク制御チャネル（以下、ＰＵＣＣＨ：Physical Uplink Control Channel）、物理上りリンク共用チャネル（以下、ＰＵＳＣＨ：Physical Uplink Shared Channel）等の上りリンクのチャネルが配置される。移動局装置は、ＰＵＣＣＨおよび／またはＰＵＳＣＨを使用して、チャネル状態情報（ＣＳＩ：Channel Statement InformationまたはChannel Statistical Information）や、下りリンクトランスポートブロックに対するＨＡＲＱにおけるＡＣＫ／ＮＡＣＫ（肯定応答：Positive Acknowledgement／否定応答：Negative Acknowledgement、ＡＣＫまたはＮＡＣＫ）を示す情報や、スケジューリング要求（ＳＲ：Scheduling Request）などの上りリンク制御情報（ＵＣＩ：Uplink Control Information）を基地局装置へ送信する。また、図７において、移動局装置は、同一サブフレームで、最大５つまでの上りリンクトランスポートブロック（ＰＵＳＣＨでも良い）を基地局装置へ送信することができる。
【０００９】
ここで、チャネル状態情報とは、移動局装置から基地局装置へ送信される、下りリンク信号に対するチャネル品質を示す情報のことを示している。移動局装置は、基地局装置から送信される基地局装置固有参照信号（ＣＳＩ−ＲＳ(Reference Signal)、ＣＲＳ(Cell-specific RS)、セル固有参照信号、フィードバック情報測定用参照信号）に基づいて、下りリンク信号に対するチャネル品質を測定（算出、生成）し、チャネル状態情報として基地局装置へ送信（報告、フィードバック）する。ここで、参照信号は、基地局装置および移動局装置で互いに既知の信号（情報）である。移動局装置から基地局装置へ送信される下りリンク信号に対するチャネル状態を示す情報には、チャネル状態情報（ＣＳＩ）や、チャネル品質識別子（ＣＱＩ：Channel Quality Indicator）や、プレコーディングマトリックス識別子（ＰＭＩ：Precoding Matrix Indicator）や、ランク識別子（ＲＩ：Rank Indicator）が含まれる。
【００１０】
ここで、ＰＭＩやＲＩは、基地局装置と移動局装置が、ＭＩＭＯ（Multiple Input Multiple Output）を利用したＳＤＭ（Space Division Multiplexing：空間分割多重）や基地局装置によるプレコーディング処理を行う通信に利用される。また、ＳＦＢＣ（Space Frequency Block Coding）、ＣＤＤ（Cyclic Delay Diversity）といった送信ダイバーシティ方式による通信を行う際に利用してもよい。ＭＩＭＯは、多入力・多出力のシステムまたは技術の総称であり、基地局装置と移動局装置は、送信側、受信側に複数のアンテナを用いて、電波の入出力の分岐数を複数にして伝送する。ここで、ＭＩＭＯを利用して空間多重して送信できる信号系列の単位をストリームと呼び、そのストリームの数（Rank：ランク）は、チャネル状態を考慮して、基地局装置によって決定される。この際、移動局装置によって要求されるストリームの数（Rank）は、移動局装置から基地局装置へＲＩとして送信される。
【００１１】
また、下りリンクにおけるＳＤＭの利用時については、各アンテナから送信される複数のストリームの情報を正しく分離するまたは分離しやすくするために、予め送信信号系列に対して前処理が施される（これを、「プレコーディング」と呼称する）。このプレコーディングに関する情報は、移動局装置が推定したチャネル状態をもとに測定（算出、生成）することができ、移動局装置から基地局装置へＰＭＩとして送信される。
【００１２】
同様に、図８は、従来の技術における非対称周波数帯域集約された移動通信システムを説明する図である。図８に示すように、基地局装置と移動局装置は、下りリンクの通信に使用される周波数帯域と上りリンクの通信に使用される周波数帯域とを異なる帯域幅とし、これらの周波数帯域を構成する連続および／または不連続な周波数帯域であるコンポーネントキャリアを複合的に使用して広帯域な周波数帯域で通信を行うことができる。図８では、例として、１００ＭＨｚの帯域幅を持った下りリンクの通信に使用される周波数帯域が、２０ＭＨｚの帯域幅を持った５つの下りリンクコンポーネントキャリア（ＤＣＣ１、ＤＣＣ２、ＤＣＣ３、ＤＣＣ４、ＤＣＣ５）によって構成され、また、４０ＭＨｚの帯域幅を持った上りリンクの通信に使用される周波数帯域が、２０ＭＨｚの帯域幅を持った２つの上りリンクコンポーネントキャリア（ＵＣＣ１、ＵＣＣ２）によって構成されていることを示している。
【００１３】
ここで、図８において、下りリンク／上りリンクのコンポーネントキャリアそれぞれには下りリンク／上りリンクのチャネルが配置され、基地局装置は、ＰＤＣＣＨを使用してＰＤＳＣＨを移動局装置へ割り当て、ＰＤＳＣＨを使用して下りリンクトランスポートブロックを移動局装置へ送信する。すなわち、図８において、基地局装置は、同一サブフレームで、最大５つまでの下りリンクトランスポートブロック（ＰＤＳＣＨでも良い）を移動局装置へ送信することができる。
【００１４】
また、移動局装置は、ＰＵＣＣＨおよび／またはＰＵＳＣＨを使用して、チャネル状態情報や、下りリンクトランスポートブロックに対するＨＡＲＱにおけるＡＣＫ／ＮＡＣＫを示す情報や、スケジューリング要求などの上りリンク制御情報を基地局装置へ送信する。また、図８において、移動局装置は、同一サブフレームで、最大２つまでの上りリンクトランスポートブロック（ＰＵＳＣＨでも良い）を基地局装置へ送信することができる。
【００１５】
図９は、従来の技術における移動局装置から基地局装置へのチャネル状態情報の送信の例を示す図である。基地局装置（９０１）は、移動局装置（９０２）が、チャネル状態情報を含む上りリンク信号（９０４）を、どの無線リソース（無線リソースブロック）を使用して送信するのかを指示する下りリンク信号および基地局装置固有参照信号（９０３）を送信する。移動局装置は、基地局装置によって指示された無線リソースを使用して、チャネル状態情報を、基地局装置へ送信する。図９において、例えば、移動局装置は、基地局装置によって割り当てられたＰＵＣＣＨリソースに、周期的なチャネル状態情報（Ｐ−ＣＳＩ：Periodic CSI）を含む上りリンク信号を配置して、基地局装置へ送信する。また、例えば、移動局装置は、基地局装置によって割り当てられたＰＵＳＣＨリソースに、非周期的なチャネル状態情報（Ａ−ＣＳＩ：Aperiodic CSI）を含む上りリンク信号を配置して、基地局装置へ送信する（非特許文献２）。
【先行技術文献】
【非特許文献】
【００１６】
【非特許文献１】"Carrier aggregation in LTE-Advanced", 3GPP TSG RAN WG1 Meeting #53bis, R1-082464, June 30-July 4, 2008.
【非特許文献２】"3GPP TSG RAN E-UTRA Physical layer procedure (Release 8)", 3GPP TS 36.213 V8.8.0, 2009-09.
【発明の概要】
【発明が解決しようとする課題】
【００１７】
しかしながら、従来の技術では、基地局装置と移動局装置が、複数のコンポーネントキャリアを複合的に使用して通信を行う際に、移動局装置が、非周期的なチャネル状態情報を基地局装置へ送信する際の送信方法が明確化されていなかった。例えば、移動局装置は、非周期的なチャネル状態情報を、どの上りリンクコンポーネントキャリアにおいて基地局装置へ送信するのかが明確化されていなかった。基地局装置は、移動局装置から送信されるチャネル状態情報に基づいて、下りリンクのスケジューリングを効率的に行うことができる。
【００１８】
すなわち、従来の技術では、移動局装置が、非周期的なチャネル状態情報を基地局装置へ送信する際の送信方法が明確化されていないために、基地局装置によって、下りリンクのスケジューリングを効率的に行うことができないという問題があった。
【００１９】
本発明は、このような事情に鑑みてなされたものであり、基地局装置と移動局装置が、複数のコンポーネントキャリアを複合的に使用して通信を行う際に、基地局装置が、下りリンクのスケジューリングを効率的に行うことができる移動通信システムおよび通信方法を提供する。
【課題を解決するための手段】
【００２０】
（１）上記の目的を達成するために、本発明は、以下のような手段を講じた。すなわち、本発明の移動通信システムは、複数のコンポーネントキャリアを使用して基地局装置と移動局装置が通信を行う移動通信システムであって、前記基地局装置は、ある特定の下りリンクコンポーネントキャリアを前記移動局装置へ設定し、チャネル状態情報の送信指示を含む下りリンク制御情報フォーマットを前記移動局装置へ通知し、前記移動局装置は、前記ある特定の下りリンクコンポーネントキャリアに対応する上りリンクコンポーネントキャリアにおけるＰＵＳＣＨリソースが割り当てられている場合には、たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、前記チャネル状態情報を、前記ある特定の下りリンクコンポーネントキャリアに対応する上りリンクコンポーネントキャリアにおけるＰＵＳＣＨリソースに配置して、前記基地局装置へ送信することを特徴としている。
【００２１】
（２）また、複数のコンポーネントキャリアを使用して基地局装置と移動局装置が通信を行う移動通信システムであって、前記基地局装置は、ある特定の下りリンクコンポーネントキャリアを前記移動局装置へ設定し、周期的なチャネル状態情報の送信指示を含むＲＲＣシグナリングを前記移動局装置へ送信し、非周期的なチャネル状態情報の送信指示を含む下りリンク制御情報フォーマットを前記移動局装置へ通知し、前記移動局装置は、前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースが割り当てられている場合には、たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記基地局装置へ送信することを特徴としている。
【００２２】
（３）また、複数のコンポーネントキャリアを使用して基地局装置と移動局装置が通信を行う移動通信システムにおける基地局装置であって、ある特定の下りリンクコンポーネントキャリアを前記移動局装置へ設定する手段と、チャネル状態情報の送信指示を含む下りリンク制御情報フォーマットを前記移動局装置へ通知する手段と、前記ある特定の下りリンクコンポーネントキャリアに対応する上りリンクコンポーネントキャリアにおけるＰＵＳＣＨリソースを割り当てている場合には、たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、前記チャネル状態情報を、前記ある特定の下りリンクコンポーネントキャリアに対応する上りリンクコンポーネントキャリアにおけるＰＵＳＣＨリソースに配置して、前記移動局装置から受信する手段と、を備えることを特徴としている。
【００２３】
（４）また、複数のコンポーネントキャリアを使用して基地局装置と移動局装置が通信を行う移動通信システムにおける基地局装置であって、ある特定の下りリンクコンポーネントキャリアを前記移動局装置へ設定する手段と、周期的なチャネル状態情報の送信指示を含むＲＲＣシグナリングを前記移動局装置へ送信する手段と、非周期的なチャネル状態情報の送信指示を含む下りリンク制御情報フォーマットを前記移動局装置へ通知する手段と、前記移動局装置において、前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てている場合には、たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記移動局装置から受信する手段と、を備えることを特徴としている。
【００２４】
（５）また、複数のコンポーネントキャリアを使用して基地局装置と移動局装置が通信を行う移動通信システムにおける移動局装置であって、ある特定の下りリンクコンポーネントキャリアを前記基地局装置によって設定される手段と、チャネル状態情報の送信指示を含む下りリンク制御情報フォーマットを前記基地局装置によって通知される手段と、前記ある特定の下りリンクコンポーネントキャリアに対応する上りリンクコンポーネントキャリアにおけるＰＵＳＣＨリソースが割り当てられている場合には、たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、前記チャネル状態情報を、前記ある特定の下りリンクコンポーネントキャリアに対応する上りリンクコンポーネントキャリアにおけるＰＵＳＣＨリソースに配置して、前記基地局装置へ送信する手段と、を備えることを特徴としている。
【００２５】
（６）また、複数のコンポーネントキャリアを使用して基地局装置と移動局装置が通信を行う移動通信システムにおける移動局装置であって、ある特定の下りリンクコンポーネントキャリアを前記基地局装置によって設定される手段と、周期的なチャネル状態情報の送信指示を含むＲＲＣシグナリングを前記基地局装置によって送信される手段と、非周期的なチャネル状態情報の送信指示を含む下りリンク制御情報フォーマットを前記基地局装置によって通知される手段と、前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てられている場合には、たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記基地局装置へ送信する手段と、を備えることを特徴としている。
【００２６】
（７）また、複数のコンポーネントキャリアを使用して基地局装置と移動局装置が通信を行う移動通信システムにおける基地局装置の通信方法であって、ある特定の下りリンクコンポーネントキャリアを前記移動局装置へ設定し、チャネル状態情報の送信指示を含む下りリンク制御情報フォーマットを前記移動局装置へ通知し、前記ある特定の下りリンクコンポーネントキャリアに対応する上りリンクコンポーネントキャリアにおけるＰＵＳＣＨリソースを割り当てている場合には、たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、前記チャネル状態情報を、前記ある特定の下りリンクコンポーネントキャリアに対応する上りリンクコンポーネントキャリアにおけるＰＵＳＣＨリソースに配置して、前記移動局装置から受信することを特徴としている。
【００２７】
（８）また、複数のコンポーネントキャリアを使用して基地局装置と移動局装置が通信を行う移動通信システムにおける基地局装置の通信方法であって、ある特定の下りリンクコンポーネントキャリアを前記移動局装置へ設定し、周期的なチャネル状態情報の送信指示を含むＲＲＣシグナリングを前記移動局装置へ送信し、非周期的なチャネル状態情報の送信指示を含む下りリンク制御情報フォーマットを前記移動局装置へ通知し、前記移動局装置において、前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てている場合には、たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースを割り当てていたとしても、前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記移動局装置から受信することを特徴としている。
【００２８】
（９）また、複数のコンポーネントキャリアを使用して基地局装置と移動局装置が通信を行う移動通信システムにおける移動局装置の通信方法であって、ある特定の下りリンクコンポーネントキャリアを前記基地局装置によって設定され、チャネル状態情報の送信指示を含む下りリンク制御情報フォーマットを前記基地局装置によって通知され、前記ある特定の下りリンクコンポーネントキャリアに対応する上りリンクコンポーネントキャリアにおけるＰＵＳＣＨリソースが割り当てられている場合には、たとえ、前記チャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、前記チャネル状態情報を、前記ある特定の下りリンクコンポーネントキャリアに対応する上りリンクコンポーネントキャリアにおけるＰＵＳＣＨリソースに配置して、前記基地局装置へ送信することを特徴としている。
【００２９】
（１０）また、複数のコンポーネントキャリアを使用して基地局装置と移動局装置が通信を行う移動通信システムにおける移動局装置の通信方法であって、ある特定の下りリンクコンポーネントキャリアを前記基地局装置によって設定され、周期的なチャネル状態情報の送信指示を含むＲＲＣシグナリングを前記基地局装置によって送信され、非周期的なチャネル状態情報の送信指示を含む下りリンク制御情報フォーマットを前記基地局装置によって通知され、  前記周期的なチャネル状態情報の送信と前記非周期的なチャネル状態情報の送信が、同一サブフレームで生じた際に、前記ある特定の下りリンクコンポーネントキャリアに対応する上りリンクコンポーネントキャリアにおけるＰＵＳＣＨリソースを割り当てられている場合には、たとえ、前記非周期的なチャネル状態情報の送信指示を含む前記下りリンク制御情報フォーマットによって、前記ある特定の下りリンクコンポーネントキャリアに対応する上りリンクコンポーネントキャリア以外の上りリンクコンポーネントキャリアにおけるＰＵＳＣＨリソースが割り当てられていたとしても、前記周期的なチャネル状態情報と前記非周期的なチャネル状態情報をともに、前記ある特定の下りリンクコンポーネントキャリアに対応する上りリンクコンポーネントキャリアにおけるＰＵＳＣＨリソースに配置して、前記基地局装置へ送信することを特徴としている。
【発明の効果】
【００３０】
本発明によれば、基地局装置と移動局装置が、複数のコンポーネントキャリアを複合的に使用して通信を行う際に、基地局装置が、下りリンクのスケジューリングを効率的に行うことができる。
【図面の簡単な説明】
【００３１】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】本発明の実施形態が適用可能な移動通信システムの例を示す図である。
【図５】移動局装置による情報の配置の例を示す図である。
【図６】移動局装置による情報の配置の別の例を示す図である。
【図７】従来の技術における周波数帯域集約の例を示す図である。
【図８】従来の技術における非対称周波数帯域集約の例を示す図である。
【図９】従来の技術におけるチャネル状態情報の送信の例を示す図である。
【発明を実施するための形態】
【００３２】
次に、本発明に係る実施形態について、図面を参照しながら説明する。図１は、本発明の実施形態におけるチャネルの一構成例を示す図である。下りリンクの物理チャネルは、物理下りリンク制御チャネル（ＰＤＣＣＨ：Physical Downlink Control Channel）、物理下りリンク共用チャネル（ＰＤＳＣＨ：Physical Downlink Shared Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）によって構成される。
【００３３】
ＰＤＣＣＨは、ＰＤＳＣＨのリソース割り当て、下りリンクデータに対するＨＡＲＱ処理情報、および、ＰＵＳＣＨのリソース割り当てなどを、移動局装置２００に通知（指定）するために使用されるチャネルである。ＰＤＤＣＨは、複数の制御チャネル要素（ＣＣＥ：Control Channel Element）から構成され、移動局装置２００は、ＣＣＥから構成されるＰＤＣＣＨを検出することによって、基地局装置１００からのＰＤＣＣＨを受信する。このＣＣＥは、周波数、時間領域において分散している複数のリソースエレメントグループ（ＲＥＧ：Resource Element Group、mini-CCEとも呼ばれる）によって構成される。ここで、リソースエレメントとは、１ＯＦＤＭシンボル（時間成分）、１サブキャリア（周波数成分）で構成される単位リソースである。
【００３４】
また、ＰＤＣＣＨは、移動局装置２００ごと、種別ごとに別々に符号化（Separate Coding）される。すなわち、移動局装置２００は、複数のＰＤＣＣＨを検出して、下りリンクのリソース割り当てや、上りリンクのリソース割り当てや、その他の制御情報を取得する。各ＰＤＣＣＨには、移動局装置２００に固有のＣＲＣ（Cyclic Redundancy Check：巡回冗長検査）符号が付与されており、移動局装置２００は、ＰＤＣＣＨが構成される可能性のあるＣＣＥのセットのそれぞれに対してＣＲＣ符号の検出を行い、ＣＲＣ符号の検出が成功したＰＤＣＣＨを、自装置宛のＰＤＣＣＨとして取得する。これは、ブラインドデコーディング（blind decoding）とも呼称され、移動局装置２００が、ブラインドデコーディングを行うＰＤＣＣＨが構成される可能性のあるＣＣＥのセットの範囲は、検索領域（Search Space）と呼称される。すなわち、移動局装置２００は、検索領域内のＣＣＥに対して、ブラインドデコーディングを行い、自装置宛のＰＤＣＣＨの検出を行う。
【００３５】
移動局装置２００は、自装置宛のＰＤＣＣＨに、ＰＤＳＣＨのリソース割り当てが含まれる場合、基地局装置１００からのＰＤＣＣＨによって指示されたリソース割り当てに応じて、ＰＤＳＣＨを使用して、下りリンク信号（下りリンクデータ（下りリンク共用チャネル（ＤＬ−ＳＣＨ）に対するトランスポートブロック）および／または下りリンク制御データ（下りリンク制御情報）および／または下りリンク参照信号（ＤＲＳ：Downlink  Reference Signal、基地局装置固有参照信号および移動局装置固有参照信号（データ復調用参照信号、ＤＭＲＳ：Demodulation RS）を含む））を受信する。すなわち、このＰＤＣＣＨは、下りリンクに対するリソース割り当てを行なう信号（以下、「下りリンク送信許可信号」、「下りリンクグラント」とも呼称する。）とも言える。
【００３６】
また、移動局装置２００は、自装置宛のＰＤＣＣＨに、ＰＵＳＣＨのリソース割り当てが含まれる場合、基地局装置１００からのＰＤＣＣＨによって指示されたリソース割り当てに応じて、ＰＵＳＣＨを使用して、上りリンク信号（上りリンクデータ（上りリンク共用チャネル（ＵＬ−ＳＣＨ）に対するトランスポートブロック）および／または上りリンク制御データ（上りリンク制御情報）および／または上りリンク参照信号（ＵＲＳ：Uplink Reference Signal））を送信する。すなわち、このＰＤＣＣＨは、上りリンクに対するデータ送信を許可する信号（以下、「上りリンク送信許可信号」、「上りリンクグラント」とも呼称する。）とも言える。
【００３７】
ＰＤＳＣＨは、下りリンクデータ（下りリンク共用チャネル（ＤＬ−ＳＣＨ）に対するトランスポートブロック）またはページング情報（ページングチャネル：ＰＣＨ）を送信するために使用されるチャネルである。基地局装置１００は、ＰＤＣＣＨによって割り当てたＰＤＳＣＨを使用して、下りリンクトランスポートブロック（下りリンク共用チャネル（ＤＬ−ＳＣＨ）に対するトランスポートブロック）を移動局装置２００へ送信する。
【００３８】
ここで、下りリンクデータとは、例えば、ユーザーデータを示しており、ＤＬ−ＳＣＨは、トランスポートチャネルである。ＤＬ−ＳＣＨでは、ＨＡＲＱ、動的適応無線リンク制御、プレコーディング制御（ビームフォーミング制御も含む）がサポートされる。ＤＬ−ＳＣＨは、動的なリソース割り当て、および、準静的なリソース割り当てがサポートされる。
【００３９】
ＰＵＳＣＨは、主に、上りリンクデータ（上りリンク共用チャネル（ＵＬ−ＳＣＨ）に対するトランスポートブロック）を送信するために使用されるチャネルである。移動局装置２００は、基地局装置１００から送信されたＰＤＣＣＨによって割り当てられたＰＵＳＣＨを使用して、上りリンクトランスポートブロック（上りリンク共用チャネル（ＵＬ−ＳＣＨ）に対するトランスポートブロック）を基地局装置１００へ送信する。
【００４０】
また、基地局装置１００が、移動局装置２００をスケジューリングした場合には、上りリンク制御情報もＰＵＳＣＨを使用して送信される。ここで、上りリンク制御情報には、チャネル状態情報（ＣＳＩ）や、チャネル品質識別子（ＣＱＩ）や、プレコーディングマトリックス識別子（ＰＭＩ）や、ランク識別子（ＲＩ）などのフィードバック情報が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置２００が上りリンクデータを送信するためのリソースの割り当てを要求する（ＵＬ−ＳＣＨでの送信を要求する）スケジューリング要求（ＳＲ）が含まれる。
【００４１】
ここで、上りリンクデータとは、例えば、ユーザーデータを示しており、ＵＬ−ＳＣＨは、トランスポートチャネルである。また、ＰＵＳＣＨは、時間領域、周波数領域によって定義される（構成される）物理チャネルである。ＵＬ−ＳＣＨでは、ＨＡＲＱ、動的適応無線リンク制御、プレコーディング制御（ビームフォーミング制御も含む）がサポートされる。ＵＬ−ＳＣＨは、動的なリソース割り当て、および、準静的なリソース割り当てがサポートされる。
【００４２】
また、上りリンクデータ（ＵＬ−ＳＣＨ）および下りリンクデータ（ＤＬ−ＳＣＨ）には、基地局装置１００と移動局装置２００の間でやり取りされる無線資源制御信号（以下、「ＲＲＣシグナリング：Radio Resource Control Signaling」と呼称する。）が含まれていても良い。また、上りリンクデータ（ＵＬ−ＳＣＨ）および下りリンクデータ（ＤＬ−ＳＣＨ）には、基地局装置１００と移動局装置２００の間でやり取りされるＭＡＣ（Medium Access Control）コントロールエレメントが含まれていても良い。
【００４３】
基地局装置１００と移動局装置２００は、ＲＲＣシグナリングを上位層（無線リソース制御（Radio Resource Control）層）において送受信する。また、基地局装置１００と移動局装置２００は、ＭＡＣコントロールエレメントを上位層（媒体アクセス制御（ＭＡＣ：Medium Access Control）層）において送受信する。
【００４４】
ＰＵＣＣＨは、上りリンク制御情報を送信するために使用されるチャネルである。ここで、上りリンク制御情報には、チャネル状態情報（ＣＳＩ）や、チャネル品質識別子（ＣＱＩ）や、プレコーディングマトリックス識別子（ＰＭＩ）や、ランク識別子（ＲＩ）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置２００が上りリンクデータを送信するためのリソースの割り当てを要求する（ＵＬ−ＳＣＨでの送信を要求する）スケジューリング要求（ＳＲ）が含まれる。
【００４５】
ここで、フィードバック情報としてＣＱＩ、ＰＭＩ、ＲＩは、移動局装置２００の基地局装置１００に対する推奨送信フォーマット情報（インプリシットフィードバック情報）である。具体的に、ＣＱＩは符号化率および変調方式を示す情報のため、それぞれ誤り訂正符号化およびデータシンボル変調処理を制御でき、ＰＭＩはプレコーディング行列を示す情報のため、送信データに対するプレコーディング処理を制御でき、ＲＩはレイヤー（ランク）数を示す情報のため、レイヤーのマッピング処理やコードワード（符号化などを行う送信データの単位）を生成する上位層に対して制御できる。なお、基地局装置１００は、必ずしも受信した推奨送信フォーマット情報に従う必要はなく、他の移動局装置２００の状況や通信システムの状況など様々な要因に基づいて決定することができる。また、フィードバック情報としてＣＳＩは、下りリンクにおける伝送路状況を示す情報（エクスプリシットフィードバック情報）であり、量子化処理や固有値分解などの処理により情報量を削減することもできる。
【００４６】
さらに、ＰＭＩは２つに分離し、ＰＭＩ１およびＰＭＩ２として通知することができる。この分離には様々な方法または用途に用いることができる。例えば、ＰＭＩ１およびＰＭＩ２を乗算やクロネッカー演算などの様々な演算を行うことでプレコーディング制御情報を表すことができ、またそれぞれ独立したプレコーディング制御情報とすることもできる。具体的には、ＰＭＩ１／ＰＭＩ２は、長区間（Long-term）変動／短区間（Short-term）変動、広帯域（Wideband）情報／狭帯域（Narrowband, Subband）情報、ＭＵ−ＭＩＭＯ（Multi-User MIMO）情報／ＳＵ−ＭＩＭＯ（Single-User MIMO）情報などとすることができる。また、ＰＭＩ１およびＰＭＩ２は同時に通知してもよいし、それぞれ異なるリソース（タイミング、サブフレーム）で通知してもよい。また、それぞれのフィードバック情報のいずれかを合成（ジョイント）して、１つのフィードバック情報としてもよい。例えば、ランク情報とＰＭＩ１のプレコーディング情報とを合成した情報を通知してもよい。
【００４７】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００４８】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００４９】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５０】
送信データ変調部１０２は、送信データをＯＦＤＭ信号に変調する。送信データ変調部１０２は、データ制御部１０１から入力された移動局装置２００毎の各データ（コードワード）に対して、スケジューリング部１０４からのスケジューリング情報に基づいた制御が行われる。送信データ変調部１０２は、データシンボル変調、誤り訂正符号化、スケジューリング制御（リソースエレメントマッピング、サブキャリアマッピング）、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれる。また、各コードワードに対応する変調方式および符号化情報として、例えば、変調方式：１６ＱＡＭ、符号化率：２／３などの情報が含まれる。また、符号化率の代わりに、符号化後のコードワードの情報量（トランスポートブロックサイズ）またはそれを示すインデックスを含むこともできる。
【００５１】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５２】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５３】
スケジューリング部１０４は、下りリンクのスケジューリングでは、移動局装置２００から受信した上りリンク制御情報（ＣＳＩ、ＣＱＩ、ＰＭＩ、ＲＩや、下りリンクトランスポートブロック（コードワード）に対するＡＣＫ／ＮＡＣＫを示す情報、スケジューリング要求など）や、各移動局装置２００の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５４】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００５５】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００５６】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００５７】
受信データ復調部１０６は、ＯＦＤＭ信号および／またはＤＦＴ−Ｓｐｒｅａｄ−ＯＦＤＭ（ＤＦＴ−Ｓ−ＯＦＤＭ）信号（ＳＣ−ＦＤＭＡ信号も含む）に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＩＤＦＴ（Inverse DFT）変換、サブキャリアデマッピング、ＦＦＴ（Fast Fourier Transform）変換、フィルタリング、誤り訂正復号、データシンボル復調等の信号処理を行なって、データ抽出部１０７に出力する。
【００５８】
データ抽出部１０７は、受信データ復調部１０６から入力されたデータに対して、正しく受信されたか否かを確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００５９】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６０】
上位層１０８は、無線リソース制御部１１０（制御部とも言う。）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００６１】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００６２】
データ制御部２０１、送信データ変調部２０２、無線部２０３で上りリンクの物理層の処理を行なう。無線部２０３、チャネル推定部２０５、受信データ復調部２０６、データ抽出部２０７で下りリンクの物理層の処理を行なう。
【００６３】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６４】
送信データ変調部２０２は、送信データをＯＦＤＭ信号および／またはＤＦＴ−Ｓｐｒｅａｄ−ＯＦＤＭ信号に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００６５】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００６６】
スケジューリング部２０４は、媒体アクセス制御（ＭＡＣ：Medium Access Control）層の処理を行なう。スケジューリング部２０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００６７】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００６８】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００６９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣ符号の検出の確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７０】
チャネル推定部２０５は、下りリンクデータの復調のために、下りリンク移動局装置固有参照信号から下りリンクデータに対するランク毎（レイヤー毎）のチャネル状態を推定し、その推定結果を受信データ復調部２０６に出力する。また、チャネル推定部２０５は、基地局装置１００に下りリンクのチャネル状態（無線伝搬路状態、ＣＳＩ、ＣＱＩ、ＰＭＩ、ＲＩ）の推定結果を通知するために、下りリンク基地局装置固有参照信号から下りリンクにおけるアンテナポート毎のチャネル状態を推定し、この推定結果を、例えば、ＣＳＩや、ＣＱＩや、ＰＭＩや、ＲＩとして、スケジューリング部２０４に出力する。
【００７１】
受信データ復調部２０６は、ＯＦＤＭ信号に変調された受信データを復調する。受信データ復調部２０６は、チャネル推定部２０５から入力された下りリンクデータに対するランク毎のチャネル状態推定結果に基づいて、無線部２０３から入力された変調データに対して、復調処理を施し、データ抽出部２０７に出力する。
【００７２】
データ抽出部２０７は、受信データ復調部２０６から入力されたデータに対して、ＣＲＣ符号の検出を行い、正しく受信されたか否かを確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７３】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７４】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００７５】
（第１の実施形態）
次に、基地局装置１００および移動局装置２００を用いた移動通信システムにおける第１の実施形態を説明する。第１の実施形態では、基地局装置１００は、ある特定の下りリンクコンポーネントキャリア（プライマリ下りリンクコンポーネントキャリア）を移動局装置２００へ設定し、チャネル状態情報の送信指示を含む下りリンク制御情報フォーマット（ＰＤＣＣＨでも良い）を移動局装置２００へ通知し、移動局装置２００は、ある特定の下りリンクコンポーネントキャリアに対応する上りリンクコンポーネントキャリア（プライマリ上りリンクコンポーネントキャリア）におけるＰＵＳＣＨリソースが割り当てられている場合には、たとえ、チャネル状態情報の送信指示を含む下りリンク制御情報フォーマットによって、ある特定の下りリンクコンポーネントキャリアに対応する上りリンクコンポーネントキャリア以外の上りリンクコンポーネントキャリアにおけるＰＵＳＣＨリソースが割り当てられていたとしても、チャネル状態情報を、ある特定の下りリンクコンポーネントキャリアに対応する上りリンクコンポーネントキャリアにおけるＰＵＳＣＨリソースに配置して、基地局装置１００へ送信する。
【００７６】
また、基地局装置１００は、ある特定の下りリンクコンポーネントキャリアを移動局装置２００へ設定し、周期的なチャネル状態情報の送信指示を含むＲＲＣシグナリングを移動局装置２００へ送信し、非周期的なチャネル状態情報の送信指示を含む下りリンク制御情報フォーマット（ＰＤＣＣＨでも良い）を移動局装置２００へ通知し、移動局装置２００は、周期的なチャネル状態情報の送信と非周期的なチャネル状態情報の送信が、同一サブフレームで生じた際に、ある特定の下りリンクコンポーネントキャリアに対応する上りリンクコンポーネントキャリアにおけるＰＵＳＣＨリソースが割り当てられている場合には、たとえ、非周期的なチャネル状態情報の送信指示を含む下りリンク制御情報フォーマットによって、ある特定の下りリンクコンポーネントキャリアに対応する上りリンクコンポーネントキャリア以外の上りリンクコンポーネントキャリアにおけるＰＵＳＣＨリソースが割り当てられていたとしても、周期的なチャネル状態情報と非周期的なチャネル状態情報をともに、ある特定の下りリンクコンポーネントキャリアに対応する上りリンクコンポーネントキャリアにおけるＰＵＳＣＨリソースに配置して、基地局装置１００へ送信する。
【００７７】
基地局装置１００は、移動局装置２００から送信された周期的なチャネル状態情報および／または非周期的なチャネル状態情報をＰＵＳＣＨリソースから抽出し、抽出した周期的なチャネル状態情報および／または非周期的なチャネル状態情報に基づいて、移動局装置２００に対して下りリンクのスケジューリングを施す（移動局装置２００に対して無線リソースを割り当てる）。
【００７８】
ここで、本実施形態においては、簡単のために、チャネル状態情報（ＣＳＩ）について記載するが、本実施形態が、チャネル品質識別子（ＣＱＩ）や、プレコーディングマトリックス識別子（ＰＭＩ）や、ランク識別子（ＲＩ）に対しても適用できることは、勿論である。
【００７９】
すなわち、本実施形態における周期的なチャネル状態情報（Ｐ−ＣＳＩ：Periodic CSI）は、周期的なＣＱＩ（Ｐ−ＣＱＩ：Periodic CQI）、周期的なＰＭＩ（Ｐ−ＰＭＩ：Periodic PMI）、周期的なＲＩ（Ｐ−ＲＩ：Periodic RI）であっても良い。本実施形態における周期的なチャネル状態情報、周期的なＣＱＩ、周期的なＰＭＩ、周期的なＲＩとは、基地局装置１００からの指示によって、移動局装置２００が、周期的に（パーシステントに、準静的に、長期的に、例えば、１０ｍｓ間隔で）基地局装置１００へ送信するチャネル状態情報、ＣＱＩ、ＰＭＩ、ＲＩのことである。
【００８０】
また、本実施形態における非周期的なチャネル状態情報（Ａ−ＣＳＩ：Aperiodic CSI）は、非周期的なＣＱＩ（Ａ−ＣＱＩ：Aperiodic CQI）、非周期的なＰＭＩ（Ａ−ＰＭＩ：Aperiodic PMI）、非周期的なＲＩ（Ａ−ＲＩ：Aperiodic RI）であっても良い。本実施形態における非周期的なチャネル状態情報、非周期的なＣＱＩ、非周期的なＰＭＩ、非周期的なＲＩとは、基地局装置１００からの指示によって、移動局装置２００が、非周期的に（ダイナミックに、動的に、例えば、１ｍｓ毎に）基地局装置１００へ送信するチャネル状態情報、ＣＱＩ、ＰＭＩ、ＲＩのことである。
【００８１】
以下、本実施形態では、周波数帯域は、帯域幅（Ｈｚ）で定義されているが、周波数と時間で構成されるリソースブロック（ＲＢ）の数で定義されても良い。すなわち、帯域幅は、リソースブロックの数によって定義されても良い。ここでリソースブロックとは、リソースを割り当てる単位またはその一部として、複数のサブキャリアと複数のＯＦＤＭシンボルで構成される。例えば、１つのリソースブロックは、１２本のサブキャリアと７つのＯＦＤＭシンボルで構成する。また、帯域幅やリソースブロックの数は、サブキャリアの数によって定義することもできる。
【００８２】
本実施形態におけるコンポーネントキャリアとは、（広帯域な）周波数帯域（システム帯域でも良い）を持った移動通信システムにおいて、基地局装置１００と移動局装置２００が通信を行なう際に複合的に使用する（狭帯域な）周波数帯域を示している。基地局装置１００と移動局装置２００は、複数のコンポーネントキャリア（例えば、２０ＭＨｚの帯域幅を持った５つの周波数帯域）を集約することによって、（広帯域な）周波数帯域（例えば、１００ＭＨｚの帯域幅を持った周波数帯域）を構成し、これら複数のコンポーネントキャリアを複合的に使用することによって、高速なデータ通信（情報の送受信）を実現することができる。
【００８３】
コンポーネントキャリアとは、この（広帯域な）周波数帯域（例えば、１００ＭＨｚの帯域幅を持った周波数帯域）を構成する（狭帯域な）周波数帯域（例えば、２０ＭＨｚの帯域幅を持った周波数帯域）それぞれのことを示している。また、コンポーネントキャリアとは、この（狭帯域な）周波数帯域それぞれの（中心）キャリア周波数を示していても良い。
【００８４】
すなわち、下りリンクコンポーネントキャリアは、基地局装置１００と移動局装置２００が、下りリンクの情報を送受信する際に使用可能な周波数帯域の中の一部の帯域（幅）を有し、上りリンクコンポーネントキャリアは、基地局装置１００と移動局装置２００が、上りリンクの情報を送受信する際に使用可能な周波数帯域の中の一部の帯域（幅）を有している。さらに、コンポーネントキャリアは、ある特定の物理チャネル（例えば、ＰＤＣＣＨやＰＵＣＣＨなど）が構成される単位として定義されてもよい。
【００８５】
また、コンポーネントキャリアは、連続な周波数帯域に配置されていても、不連続な周波数帯域に配置されていてもよく、基地局装置１００と移動局装置２００は、連続および／または不連続な周波数帯域である複数のコンポーネントキャリアを集約することによって、広帯域な周波数帯域を構成し、これら複数のコンポーネントキャリアを複合的に使用することによって、高速なデータ通信（情報の送受信）を実現することができる。
【００８６】
さらに、コンポーネントキャリアによって構成される下りリンクの通信に使用される周波数帯域と上りリンクの通信に使用される周波数帯域は、同じ帯域幅である必要はなく、基地局装置１００と移動局装置２００は、コンポーネントキャリアによって構成される異なる帯域幅を持った下りリンクの周波数帯域、上りリンクの周波数帯域を複合的に使用して通信を行なうことができる（上述した非対称周波数帯域集約：Asymmetric carrier aggregation）。また、それぞれのコンポーネントキャリアの周波数帯域幅は異なって構成してもよい。
【００８７】
図４は、第１の実施形態が適用可能な移動通信システムの例を示す図である。図４は、例として、４０ＭＨｚの帯域幅を持った上りリンクの通信に使用される周波数帯域が、２０ＭＨｚの帯域幅を持った２つの上りリンクコンポーネントキャリア（ＵＣＣ１、ＵＣＣ２）によって構成されていることを示している。ここで、第１の実施形態は、対称周波数帯域集約および非対称周波数帯域集約されたいずれの移動通信システムにでも適用可能である。また、以下の説明は、例として、２つの上りリンクコンポーネントキャリアにおける基地局装置１００と移動局装置２００の動作を記載するが、全てのコンポーネントキャリアにおいて同様の実施形態が適用できることは勿論である。
【００８８】
図４において、基地局装置１００は、移動局装置２００に対して、周期的なチャネル状態情報の送信指示を含むＲＲＣシグナリングを送信することができる。また、基地局装置１００は、移動局装置２００に対して、非周期的なチャネル状態情報の送信指示を含むＰＤＣＣＨ（下りリンク制御情報フォーマットとも呼称する）を送信することができる。
【００８９】
例えば、基地局装置１００は、ＲＲＣシグナリングを使用して、移動局装置２００が周期的なチャネル状態情報を送信するためのＰＵＣＣＨリソースと送信インターバル（送信周期）を、移動局装置２００に対して設定することができる。移動局装置２００は、基地局装置１００からの設定に従って、チャネル状態情報および／またはＣＱＩおよび／またはＰＭＩおよび／またはＲＩを、基地局装置１００によって割り当てられたＰＵＣＣＨリソースに配置して、周期的に基地局装置１００へ送信する。
【００９０】
また、例えば、基地局装置１００は、ＰＤＣＣＨにチャネル状態情報の送信を指示（要求）する情報を含めて移動局装置２００へ送信し、移動局装置２００に対して、チャネル状態情報の送信を指示（要求）することができる。例えば、基地局装置１００は、ＰＤＣＣＨ（下りリンク制御フォーマット）に含まれるＣＳＩリクエストを“１”にセットして移動局装置２００へ送信（通知）し、移動局装置２００に対して、チャネル状態情報の送信を指示することができる。基地局装置１００からチャネル状態情報の送信指示を含むＰＤＣＣＨを通知された移動局装置２００は、チャネル状態情報および／またはＣＱＩおよび／またはＰＭＩおよび／またはＲＩを、ＰＤＣＣＨに含まれるＰＵＳＣＨリソース割り当て（ＰＵＳＣＨリソースブロック割り当て情報）によって割り当てられたＰＵＳＣＨリソースに配置して、非周期的に基地局装置１００へ送信する。
【００９１】
ここで、基地局装置１００が、移動局装置２００に対してチャネル状態情報の送信を指示していない場合（例えば、上りリンクデータ（のみ）の送信を指示している場合）には、ＰＤＣＣＨに含まれるＣＳＩリクエストは、基地局装置１００によって“０”にセットされる。基地局装置１００が、移動局装置２００に対してチャネル状態情報の送信を指示していない場合とは、基地局装置１００が、移動局装置２００に対してチャネル状態情報をＰＵＳＣＨリソースに配置せずに、例えば、上りリンクデータをＰＵＳＣＨリソースに配置して基地局装置１００へ送信することを指示することである。
【００９２】
移動局装置２００は、基地局装置１００からのチャネル状態情報の送信指示を含むＰＤＣＣＨによって割り当てられたＰＵＳＣＨリソースに、非周期的なチャネル状態情報を配置して、基地局装置１００へ送信する。すなわち、基地局装置１００から移動局装置２００へ送信されるＰＤＣＣＨ（下りリンク制御情報フォーマット）は、基地局装置１００が、移動局装置２００に対して、ＰＵＳＣＨリソースを割り当てる（スケジュールする）ために使用される。
【００９３】
ここで、基地局装置１００からチャネル状態情報の送信指示を含むＰＤＣＣＨを通知された移動局装置２００は、上りリンクデータ（ＵＬ−ＳＣＨに対するトランスポートブロック）を基地局装置１００へ送信する必要がある場合（バッファに上りリンクデータが存在する場合）には、チャネル状態情報および／またはＣＱＩおよび／またはＰＭＩおよび／またはＲＩと上りリンクデータを共に、基地局装置１００によって割り当てられたＰＵＳＣＨリソースに配置して、非周期的に基地局装置１００へ送信する。
【００９４】
また、基地局装置１００からチャネル状態情報の送信指示を含むＰＤＣＣＨを通知された移動局装置２００は、下りリンクデータ（ＤＬ−ＳＣＨに対するトランスポートブロック、ＰＤＳＣＨでも良い）に対するＨＡＲＱにおけるＡＣＫ／ＮＡＣＫを示す情報を基地局装置１００へ送信する必要がある場合には、チャネル状態情報および／またはＣＱＩおよび／またはＰＭＩおよび／またはＲＩとＡＣＫ／ＮＡＣＫを示す情報を共に、基地局装置１００によって割り当てられたＰＵＳＣＨリソースに配置して、基地局装置１００へ送信する。
【００９５】
図４において、基地局装置１００は、ある特定の（例えば、ある１つの）下りリンクコンポーネントキャリアを、移動局装置２００に対して設定することができる。また、基地局装置１００は、ある特定の（例えば、ある１つの）上りリンクコンポーネントキャリアを、移動局装置２００に対して設定することができる。
【００９６】
例えば、基地局装置１００は、ある特定の下りリンクコンポーネントキャリアを、ＲＲＣシグナリングを使用して、移動局装置固有（UE-specifically）に、移動局装置２００に対して設定することができる。また、例えば、基地局装置１００は、ある特定の下りリンクコンポーネントキャリアを、ＲＲＣシグナリングを使用して、準静的（semi-statically）に、移動局装置２００に対して設定することができる。
【００９７】
また、例えば、基地局装置１００は、ある特定の上りリンクコンポーネントキャリアを、ＲＲＣシグナリングを使用して、移動局装置２００固有に、移動局装置２００に対して設定することができる。また、例えば、基地局装置１００は、ある特定の上りリンクコンポーネントキャリアを、ＲＲＣシグナリングを使用して、準静的に、移動局装置２００に対して設定することができる。
【００９８】
また、基地局装置１００は、ある特定の下りリンクコンポーネントキャリアとある特定の上りリンクリンクコンポーネントキャリアの対応（リンク）を、移動局装置２００に対して設定することができる。例えば、基地局装置１００は、ある特定の下りリンクコンポーネントキャリアとある特定の上りリンクリンクコンポーネントキャリアの対応を、報知情報（broadcast information、例えば、ＳＩＢ：System Information Block）を使用して、移動局装置２００に対して設定することができる。また、例えば、基地局装置１００は、ある特定の下りリンクコンポーネントキャリアとある特定の上りリンクリンクコンポーネントキャリアの対応を、報知情報を使用して、セル固有（Cell-specifically）に、移動局装置２００に対して設定することができる。
【００９９】
また、例えば、基地局装置１００は、ある特定の下りリンクコンポーネントキャリアとある特定の上りリンクリンクコンポーネントキャリアの対応を、ＲＲＣシグナリングを使用して、移動局装置２００固有に、移動局装置２００に対して設定することができる。
【０１００】
すなわち、基地局装置１００は、ある特定の上りリンクコンポーネントキャリアを、ある特定の下りリンクコンポーネントキャリアに対応する上りリンクコンポーネントキャリアとして、移動局装置２００に対して設定することができる。すなわち、基地局装置１００は、ある特定の下りリンクコンポーネントキャリアを移動局装置２００に対して設定し、移動局装置２００は、ある特定の下りリンクコンポーネントキャリアに対応する上りリンクコンポーネントキャリアを、ある特定の上りリンクコンポーネントキャリアと認識することができる。
【０１０１】
以下、基地局装置１００によって設定される、ある特定の下りリンクコンポーネントキャリアを、プライマリ下りリンクコンポーネントキャリア（ＰＤＣＣ：Primary Downlink Component Carrier)とも呼称する。また、基地局装置１００によって設定される、ある特定の下りリンクコンポーネントキャリア以外の下りリンクコンポーネントキャリアを、セカンダリ下りリンクコンポーネントキャリア（ＳＤＣＣ：Secondary Downlink Component Carrier)とも呼称する。
【０１０２】
また、基地局装置１００によって設定される、ある特定の上りリンクコンポーネントキャリアを、プライマリ上りリンクコンポーネントキャリア（ＰＵＣＣ：Primary Uplink Component Carrier)とも呼称する。また、基地局装置１００によって設定される、ある特定の上りリンクコンポーネントキャリア以外の上りリンクコンポーネントキャリアを、セカンダリ上りリンクコンポーネントキャリア（ＳＤＣＣ：Secondary Uplink Component Carrier)とも呼称する。
【０１０３】
図４において、移動局装置２００は、基地局装置１００によって設定されたある特定の上りリンクコンポーネントキャリア(プライマリ上りリンクコンポーネントキャリア)において、周期的なチャネル状態情報を基地局装置１００へ送信する。
【０１０４】
例えば、移動局装置２００は、基地局装置１００によって設定されたプライマリ上りリンクコンポーネントキャリアにおけるＰＵＣＣＨリソースに、周期的なチャネル状態情報を配置して、基地局装置１００へ送信する。すなわち、基地局装置１００は、プライマリ上りリンクコンポーネントキャリアにおけるＰＵＣＣＨリソースを、ＲＲＣシグナリングを使用して、移動局装置２００に対して設定する（割り当てる）。また、基地局装置１００は、移動局装置２００が、プライマリ上りリンクコンポーネントキャリアにおいて、周期的なチャネル状態情報を送信するための送信インターバル（送信周期）を、ＲＲＣシグナリングを使用して、移動局装置２００に対して設定する（割り当てる）。
【０１０５】
ここで、移動局装置２００は、基地局装置１００によって設定されたプライマリ上りリンクコンポーネントキャリアにおけるＰＵＣＣＨリソースに、下りリンクトランスポートブロック（ＰＤＳＣＨでも良い）に対するＡＣＫ／ＮＡＣＫを示す情報を配置して、基地局装置１００へ送信する。また、移動局装置２００は、基地局装置１００によって設定されたプライマリ上りリンクコンポーネントキャリアにおけるＰＵＣＣＨリソースに、スケジューリング要求を配置して、基地局装置１００へ送信する。すなわち、基地局装置１００は、移動局装置２００が、ＰＵＣＣＨリソースに上りリンク制御情報を配置して基地局装置１００へ送信する際の上りリンクコンポーネントキャリアとして、プライマリ上りリンクコンポーネントキャリアを設定することができる。
【０１０６】
図４において、ＵＣＣ１のＰＵＣＣＨリソース（ＰＵＣＣＨリソース領域）が斜線で示されているのは、基地局装置１００が、移動局装置２００に対して、ＵＣＣ１をプライマリ上りリンクコンポーネントキャリアとして設定していることを示している。また、ＵＣＣ２のＰＵＣＣＨリソース（ＰＵＣＣＨリソース領域）が白塗りで示されているのは、基地局装置１００が、移動局装置２００に対して、ＵＣＣ２をセカンダリ上りリンクコンポーネントキャリアとして設定していることを示している。
【０１０７】
ここで、移動局装置２００は、基地局装置１００によって設定されたプライマリ上りリンクコンポーネントキャリア（ＵＣＣ１）におけるＰＵＣＣＨリソースに、下りリンクコンポーネントキャリア毎に送信された下りリンク信号それぞれに対して生成（測定）したチャネル状態情報（フィードバック情報）を配置して、周期的に基地局装置１００へ送信する。すなわち、基地局装置１００は、下りリンクコンポーネント毎に送信された下りリンク信号それぞれに対するチャネル状態情報の周期的な送信を、ＲＲＣシグナリングを使用して、移動局装置２００に対して設定（指示）することができる。
【０１０８】
例えば、移動局装置２００は、図７や図８におけるＤＣＣ１、ＤＣＣ２、ＤＣＣ３、ＤＣＣ４、ＤＣＣ５において送信された下りリンク信号それぞれに対してチャネル状態情報を生成し、生成したチャネル状態情報を、周期的に基地局装置１００へ送信することができる。例えば、移動局装置２００は、図７や図８におけるＤＣＣ１、ＤＣＣ２、ＤＣＣ３、ＤＣＣ４、ＤＣＣ５において送信された下りリンク信号それぞれに対してチャネル状態情報を生成し、生成したチャネル状態情報を、サイクリックに、周期的に基地局装置１００へ送信することができる。
【０１０９】
すなわち、移動局装置２００は、まず、ＤＣＣ１において送信された下りリンク信号に対するチャネル状態情報を送信し、続いて、ＤＣＣ２において送信された下りリンク信号に対するチャネル状態情報を送信し、続いて、ＤＣＣ３において送信された下りリンク信号に対するチャネル状態情報を送信し、続いて、ＤＣＣ４において送信された下りリンク信号に対するチャネル状態情報を送信し、続いて、ＤＣＣ５において送信された下りリンク信号に対するチャネル状態情報を送信し、再度、ＤＣＣ１において送信された下りリンク信号に対するチャネル状態情報を送信するというように、下りリンクコンポーネントキャリア毎に送信された下りリンク信号それぞれに対して生成したチャネル状態情報を、サイクリックに、基地局装置１００へ送信することができる。
【０１１０】
ここで、移動局装置２００が、どの下りリンクコンポーネントキャリアにおいて送信された下りリンク信号に対するチャネル状態情報を、最初に、基地局装置１００へ送信するのかは、例えば、ＲＲＣシグナリングを使用して、基地局装置１００によって設定される。また、移動局装置２００が、どの下りリンクコンポーネントキャリアにおいて送信された下りリンク信号に対するチャネル状態情報を、最初に、基地局装置１００へ送信するのかは、例えば、仕様等によって、予め規定されても良い。
【０１１１】
例えば、移動局装置２００が、複数の下りリンクコンポーネントキャリアに付与されたインデックスの中で、最も小さい（または、最も大きい）インデックスが付与された下りリンクコンポーネントキャリアにおいて送信された下りリンク信号に対するチャネル状態情報を、最初に、基地局装置１００へ送信することが、仕様等によって、予め規定されても良い。
【０１１２】
また、図４において、移動局装置２００は、チャネル状態情報の送信指示を含むＰＤＣＣＨによって割り当てられたＰＵＳＣＨリソースにチャネル状態情報を配置して、非周期的なチャネル状態情報を基地局装置１００へ送信する。
【０１１３】
ここで、移動局装置２００は、基地局装置１００によって割り当てられたＰＵＳＣＨリソースに、下りリンクコンポーネントキャリア毎に送信された下りリンク信号のいずれかに対して生成（測定）したチャネル状態情報を配置して、非周期的に基地局装置１００へ送信することができる。すなわち、基地局装置１００は、下りリンクコンポーネント毎に送信された下りリンク信号のいずれかに対するチャネル状態情報の非周期的な送信を、ＰＤＣＣＨに含まれるＣＳＩリクエストを使用して、移動局装置２００に対して指示（要求）することができる。
【０１１４】
例えば、移動局装置２００は、図７や図８におけるＤＣＣ１、ＤＣＣ２、ＤＣＣ３、ＤＣＣ４、ＤＣＣ５において送信された下りリンク信号のいずれかに対してチャネル状態情報を生成し、生成したチャネル状態情報を、非周期的に基地局装置１００へ送信することができる。例えば、移動局装置２００は、ＤＣＣ１において送信された下りリンク信号に対するチャネル状態情報を、基地局装置１００によって割り当てられたＰＵＳＣＨリソースに配置して、非周期的に基地局装置１００へ送信することができる。また、例えば、移動局装置２００は、ＤＣＣ３において送信された下りリンク信号に対するチャネル状態情報を、基地局装置１００によって割り当てられたＰＵＳＣＨリソースに配置して、非周期的に基地局装置１００へ送信することができる。
【０１１５】
ここで、移動局装置２００が、どの下りリンクコンポーネントキャリアにおいて送信された下りリンク信号に対するチャネル状態情報を送信（測定、生成）するのかは、例えば、ＲＲＣシグナリングを使用して、基地局装置１００によって設定される。また、移動局装置２００が、どの下りリンクコンポーネントキャリアにおいて送信された下りリンク信号に対するチャネル状態情報を送信（測定、生成）するのかは、例えば、ＰＤＣＣＨに含まれる情報を使用して、基地局装置１００によって指示されても良い。
【０１１６】
また、図４において、基地局装置１００は、ＰＤＣＣＨを使用して割り当てるＰＵＳＣＨリソースが配置された上りリンクコンポーネントキャリアを指示する情報（ＣＩＦ：Carrier Indicator Field、例えば、３ビットで表される情報フィールド、以下、キャリア識別子とも呼称する）を、ＰＤＣＣＨに含めて、移動局装置２００へ送信することができる。
【０１１７】
例えば、基地局装置１００は、移動局装置２００に対してＵＣＣ１に配置されたＰＵＳＣＨリソースを割り当てることを示すキャリア識別子を、ＰＤＣＣＨに含めて、移動局装置２００へ送信することができる。この情報を受信した移動局装置２００は、ＵＣＣ１におけるＰＵＳＣＨリソースに、上りリンク信号（例えば、上りリンクデータおよび／またはチャネル状態情報）を配置して、基地局装置１００へ送信する。また、例えば、基地局装置１００は、移動局装置２００に対してＵＣＣ２に配置されたＰＵＳＣＨリソースを割り当てることを示すキャリア識別子を、ＰＤＣＣＨに含めて、移動局装置２００へ送信することができる。この情報を受信した移動局装置２００は、ＵＣＣ２におけるＰＵＳＣＨリソースに、上りリンク信号（例えば、上りリンクデータおよび／またはチャネル状態情報）を配置して、基地局装置１００へ送信する。
【０１１８】
すなわち、図４において、基地局装置１００は、移動局装置２００に対して設定したプライマリ上りリンクコンポーネントキャリアと、同一の上りリンクコンポーネントキャリアにおけるＰＵＳＣＨリソースを、移動局装置２００に対して割り当てることができる。また、基地局装置１００は、移動局装置２００に対して設定したプライマリ上りリンクコンポーネントキャリアとは、異なる上りリンクコンポーネントキャリア（セカンダリ上りリンクコンポーネントキャリア）におけるＰＵＳＣＨリソースを、移動局装置２００に対して割り当てることができる。
【０１１９】
また、図４において、基地局装置１００は、複数の（例えば、２つの）ＰＤＣＣＨを使用して、複数の（例えば、２つの）上りリンクコンポーネントキャリアにおけるＰＵＳＣＨリソースそれぞれを、同一サブフレームで、移動局装置２００に対して割り当てることができる。例えば、基地局装置１００は、２つのＰＤＣＣＨを使用して、ＵＣＣ１におけるＰＵＳＣＨリソースとＵＣＣ２におけるＰＵＳＣＨリソースを、同一サブフレームで、移動局装置２００に対して割り当てることができる。移動局装置２００は、基地局装置１００によって割り当てられたＵＣＣ１におけるＰＵＳＣＨリソースとＵＣＣ２におけるＰＵＳＣＨリソースに、上りリンク信号（例えば、上りリンクデータおよび／またはチャネル状態情報）を配置し、同一サブフレームで、基地局装置１００へ送信する。
【０１２０】
すなわち、移動局装置２００は、複数の（例えば、２つの）上りリンクコンポーネントキャリアにおけるＰＵＳＣＨリソースそれぞれに、上りリンク信号（例えば、上りリンクデータおよび／またはチャネル状態情報）を配置し、同一サブフレームで、基地局装置１００へ送信することができる。
【０１２１】
さらに、図４において、基地局装置１００は、複数の（例えば、２つの）ＰＤＣＣＨそれぞれにチャネル状態情報の送信指示を含めて移動局装置２００へ送信し、複数の（例えば、２つの）チャネル状態情報の送信を、同一サブフレームで、移動局装置２００に対して指示（要求）することができる。例えば、基地局装置１００は、２つのＰＤＣＣＨそれぞれにチャネル状態情報の送信指示を含めて移動局装置２００へ送信し、複数の（異なる）下りリンクコンポーネントキャリアにおいて送信された下りリンク信号それぞれに対する（複数の）チャネル状態情報の送信を、同一サブフレームで、移動局装置２００に対して指示することができる。
【０１２２】
移動局装置２００は、複数の（異なる）下りリンクコンポーネントキャリアにおいて送信された下りリンク信号それぞれに対して生成した（複数の）チャネル状態情報を、同一サブフレームで、基地局装置１００へ送信することができる。例えば、移動局装置２００は、ＤＣＣ１において送信された下りリンク信号に対して生成したチャネル状態情報とＤＣＣ３において送信された下りリンク信号に対して生成したチャネル状態情報を、同一サブフレームで、基地局装置１００へ送信することができる。また、例えば、移動局装置２００は、ＤＣＣ２において送信された下りリンク信号に対して生成したチャネル状態情報とＤＣＣ４において送信された下りリンク信号に対して生成したチャネル状態情報を、同一サブフレームで、基地局装置１００へ送信することができる。
【０１２３】
すなわち、基地局装置１００は、移動局装置２００に対して設定したプライマリ上りリンクコンポーネントキャリアと、同一の上りリンクコンポーネントキャリアにおける非周期的なチャネル状態情報の送信を、移動局装置２００に対して指示することができる。また、基地局装置１００は、移動局装置２００に対して設定したプライマリ上りリンクコンポーネントキャリアとは、異なる上りリンクコンポーネントキャリア（セカンダリ上りリンクコンポーネントキャリア）における非周期的なチャネル状態情報の送信を、移動局装置２００に対して指示することができる。
【０１２４】
以下、基地局装置１００が、チャネル状態情報の送信指示を含むＰＤＣＣＨを使用して、ＰＵＳＣＨリソースを移動局装置２００へ割り当てる（例えば、ＰＤＣＣＨに含まれるＣＳＩリクエストを“１”にセットして、ＰＵＳＣＨリソースを移動局装置２００へ割り当てる）ことを、チャネル状態情報の送信指示を含むＰＤＣＣＨを使用して、ＰＵＳＣＨリソースを移動局装置２００へ割り当てる、と記載する。
【０１２５】
また、基地局装置１００が、チャネル状態情報の送信指示を含まないＰＤＣＣＨを使用して、ＰＵＳＣＨリソースを移動局装置２００へ割り当てる（例えば、ＰＤＣＣＨに含まれるＣＳＩリクエストを“０”にセットして、ＰＵＳＣＨリソースを移動局装置２００へ割り当てる）ことを、チャネル状態情報の送信指示を含まないＰＤＣＣＨを使用して、ＰＵＳＣＨリソースを移動局装置２００へ割り当てる、と記載する。
【０１２６】
図４において、基地局装置１００は、チャネル状態情報の送信指示を含むＰＤＣＣＨを使用して、ＵＣＣ１におけるＰＵＳＣＨリソースを移動局装置２００へ割り当てる。基地局装置１００からＰＤＣＣＨを通知された移動局装置２００は、基地局装置１００によって割り当てられたＵＣＣ１におけるＰＵＳＣＨリソースにチャネル状態情報を配置して、基地局装置１００へ送信する。
【０１２７】
また、基地局装置１００は、チャネル状態情報の送信指示を含むＰＤＣＣＨを使用して、ＵＣＣ２におけるＰＵＳＣＨリソースを移動局装置２００へ割り当てる。基地局装置１００からＰＤＣＣＨを通知された移動局装置２００は、基地局装置１００によって割り当てられたＵＣＣ２におけるＰＵＳＣＨリソースにチャネル状態情報を配置して、基地局装置１００へ送信する。
【０１２８】
すなわち、移動局装置２００は、基地局装置１００によって割り当てられたセカンダリ上りリンクコンポーネントキャリアにおけるＰＵＳＣＨリソースにチャネル状態情報を配置して、基地局装置１００へ送信する。この際、基地局装置１００は、ＵＣＣ１におけるＰＵＳＣＨリソースを移動局装置２００へ割り当てていない。すなわち、基地局装置１００は、プライマリ上りリンクコンポーネントキャリアにおけるＰＵＳＣＨリソースを移動局装置２００へ割り当てていない。
【０１２９】
また、基地局装置１００は、チャネル状態情報の送信指示を含むＰＤＣＣＨを使用してＵＣＣ１におけるＰＵＳＣＨリソースを、チャネル状態情報の送信指示を含まないＰＤＣＣＨを使用してＵＣＣ２におけるＰＵＳＣＨリソースを、同一サブフレームで、移動局装置２００へ割り当てる。基地局装置１００からＰＤＣＣＨを通知された移動局装置２００は、ＵＣＣ１におけるＰＵＳＣＨリソースにチャネル状態情報を配置して、基地局装置１００へ送信する。すなわち、移動局装置２００は、基地局装置１００によって設定されたプライマリ上りリンクコンポーネントキャリアにおけるＰＵＳＣＨリソースにチャネル状態情報を配置して、基地局装置１００へ送信する。
【０１３０】
また、基地局装置１００は、チャネル状態情報の送信指示を含まないＰＤＣＣＨを使用してＵＣＣ１におけるＰＵＳＣＨリソースを、チャネル状態情報の送信指示を含むＰＤＣＣＨを使用してＵＣＣ２におけるＰＵＳＣＨリソースを、同一サブフレームで、移動局装置２００へ割り当てる。基地局装置１００からＰＤＣＣＨを通知された移動局装置２００は、ＵＣＣ１におけるＰＵＳＣＨリソースにチャネル状態情報を配置して、基地局装置１００へ送信する。すなわち、移動局装置２００は、基地局装置１００によって設定されたプライマリ上りリンクコンポーネントキャリアにおけるＰＵＳＣＨリソースにチャネル状態情報を配置して、基地局装置１００へ送信する。
【０１３１】
すなわち、移動局装置２００は、たとえ、セカンダリ上りリンクコンポーネントキャリアにおけるＰＵＳＣＨリソースを割り当てるＰＤＣＣＨにチャネル状態情報の送信指示が含まれていたとしても、基地局装置１００によって、プライマリ上りリンクコンポーネントキャリアにおけるＰＵＳＣＨリソースが割り当てられている場合には、プライマリ上りリンクコンポーネントキャリアにおけるＰＵＳＣＨリソースにチャネル状態情報を配置して、基地局装置１００へ送信する。ここで、移動局装置２００は、基地局装置１００によって割り当てられたＵＣＣ２におけるＰＵＳＣＨリソースに上りリンクデータを配置して、基地局装置１００へ送信することができる。
【０１３２】
また、基地局装置１００は、チャネル状態情報の送信指示を含むＰＤＣＣＨを使用してＵＣＣ１におけるＰＵＳＣＨリソースを、チャネル状態情報の送信指示を含むＰＤＣＣＨを使用してＵＣＣ２におけるＰＵＳＣＨリソースを、同一サブフレームで、移動局装置２００へ割り当てる。基地局装置１００からＰＤＣＣＨを通知された移動局装置２００は、ＵＣＣ１におけるＰＵＳＣＨリソースにチャネル状態情報を配置して、基地局装置１００へ送信する。すなわち、移動局装置２００は、基地局装置１００によって設定されたプライマリ上りリンクコンポーネントキャリアにおけるＰＵＳＣＨリソースにチャネル状態情報を配置して、基地局装置１００へ送信する。
【０１３３】
すなわち、移動局装置２００は、基地局装置１００によって設定されたプライマリ上りリンクコンポーネントキャリアにおけるＰＵＳＣＨリソースに（複数の）チャネル状態情報を配置して、基地局装置１００へ送信する。例えば、移動局装置２００は、異なる下りリンクコンポーネントキャリアにおいて送信された下りリンク信号それぞれに対するチャネル状態情報を、基地局装置１００によって設定されたプライマリコンポーネントキャリアにおけるＰＵＳＣＨリソースに配置して、基地局装置１００へ送信する。ここで、移動局装置２００は、ＵＣＣ２におけるＰＵＳＣＨリソースに上りリンクデータを配置して、基地局装置１００へ送信することができる。
【０１３４】
ここで、移動局装置２００は、上りリンクデータ（ＵＬ−ＳＣＨに対するトランスポートブロック）を基地局装置１００へ送信する必要がある場合（バッファに上りリンクデータが存在する場合）には、チャネル状態情報と上りリンクデータを共に、基地局装置１００によって割り当てられたプライマリ上りリンクコンポーネントキャリアにおけるＰＵＳＣＨリソース（ＵＣＣ１）に配置して送信することができる。
【０１３５】
また、移動局装置２００は、上りリンクデータ（ＵＬ−ＳＣＨに対するトランスポートブロック）を基地局装置１００へ送信する必要がある場合（バッファに上りリンクデータが存在する場合）には、チャネル状態情報と上りリンクデータを共に、基地局装置１００によって割り当てられたセカンダリ上りリンクコンポーネントキャリア（ＵＣＣ２）におけるＰＵＳＣＨリソースに配置して送信することができる。
【０１３６】
また、移動局装置２００は、下りリンクデータ（ＤＬ−ＳＣＨに対するトランスポートブロック、ＰＤＳＣＨでも良い）に対するＨＡＲＱにおけるＡＣＫ／ＮＡＣＫを示す情報を基地局装置１００へ送信する必要がある場合には、チャネル状態情報とＡＣＫ／ＮＡＣＫを示す情報を共に、基地局装置１００によって割り当てられたプライマリ上りリンクコンポーネントキャリア（ＵＣＣ１）におけるＰＵＳＣＨリソースに配置して送信することができる。
【０１３７】
また、移動局装置２００は、下りリンクデータ（ＤＬ−ＳＣＨに対するトランスポートブロック、ＰＤＳＣＨでも良い）に対するＨＡＲＱにおけるＡＣＫ／ＮＡＣＫを示す情報を基地局装置１００へ送信する必要がある場合には、チャネル状態情報とＡＣＫ／ＮＡＣＫを示す情報を共に、基地局装置１００によって割り当てられたセカンダリ上りリンクコンポーネントキャリア（ＵＣＣ２）におけるＰＵＳＣＨリソースに配置して送信することができる。
【０１３８】
すなわち、移動局装置２００は、同一サブフレームで、プライマリ上りリンクコンポーネントキャリアにおけるＰＵＳＣＨリソースを含む複数のＰＵＳＣＨリソースが割り当てられた場合には、チャネル状態情報を、基地局装置１００によって割り当てられたプライマリ上りリンクコンポーネントキャリアにおけるＰＵＳＣＨリソースに配置して、基地局装置１００へ送信する。
【０１３９】
また、移動局装置２００は、同一サブフレームで、プライマリ上りリンクコンポーネントキャリアにおけるＰＵＳＣＨリソースを含む複数のＰＵＳＣＨリソースが割り当てられた場合には、上りリンク制御情報を、基地局装置１００によって割り当てられたプライマリ上りリンクコンポーネントキャリアにおけるＰＵＳＣＨリソースに配置して、基地局装置１００へ送信する。
【０１４０】
上述したように、図４において、移動局装置２００は、基地局装置１００によって設定されたプライマリ上りリンクコンポーネントキャリア（ＵＣＣ１）におけるＰＵＣＣＨリソースに、周期的なチャネル状態情報を配置して、基地局装置１００へ送信する。
【０１４１】
ここで、基地局装置１００は、移動局装置２００に対して、周期的なチャネル状態情報の送信と非周期的なチャネル状態情報の送信を、同一サブフレームに、設定することができる。例えば、基地局装置１００は、移動局装置２００に対して、あるサブフレームｎで周期的なチャネル状態情報を送信するように設定し、さらに、移動局装置２００に対して、あるサブフレームｎで非周期的なチャネル状態情報を送信するように指示することができる。
【０１４２】
例えば、基地局装置１００は、（事前に）ＲＲＣシグナリングを使用して、あるサブフレームｎで周期的なチャネル状態情報を送信するように設定し、さらに、ＰＤＣＣＨを使用して、あるサブフレームｎで非周期的なチャネル状態情報を送信するように指示することができる。ここで、例えば、基地局装置１００が、ＰＤＣＣＨを使用して非周期的なチャネル状態情報の送信を移動局装置２００に対して指示するサブフレームは、あるサブフレームｎ−４（４サブフレーム前）となる。
【０１４３】
すなわち、移動局装置２００は、基地局装置１００によって、周期的なチャネル状態情報の送信と非周期的なチャネル状態情報の送信が、同一サブフレームに設定される。これは、移動局装置２００にとって、周期的なチャネル状態情報の送信と非周期的なチャネル状態情報の送信が、同一サブフレームで発生する（生じる、基地局装置１００によって設定される）とも言える。
【０１４４】
図４において、周期的なチャネル状態情報の送信と非周期的なチャネル状態情報の送信が、同一サブフレームで発生した移動局装置２００は、周期的なチャネル状態情報と非周期的なチャネル状態情報をともに、基地局装置１００へ送信する。この際、移動局装置２００は、周期的なチャネル状態情報と非周期的なチャネル状態情報をともに、基地局装置１００によって割り当てられたＰＵＳＣＨリソースに配置して、基地局装置１００へ送信する。
【０１４５】
ここで、基地局装置１００によって、チャネル状態情報の送信指示を含むＰＤＣＣＨを使用してＵＣＣ１におけるＰＵＳＣＨリソースが割り当てられ、周期的なチャネル状態情報の送信と非周期的なチャネル状態情報の送信が、同一サブフレームで発生した移動局装置２００は、周期的なチャネル状態情報と非周期的なチャネル状態情報をともに、基地局装置１００によって割り当てられたＵＣＣ１におけるＰＵＳＣＨリソースに配置して、基地局装置１００へ送信する。
【０１４６】
すなわち、移動局装置２００は、基地局装置１００によって設定されたプライマリ上りリンクコンポーネントキャリアにおけるＰＵＣＣＨリソースに配置して送信しようとしていた周期的なチャネル状態情報（ＰＵＣＣＨ送信フォーマットのチャネル状態情報、PUCCH based transmission formatとも呼称する）を、非周期的なチャネル状態情報（ＰＵＳＣＨ送信フォーマットのチャネル状態情報、PUSCH based transmission formatとも呼称する）とともに、プライマリ上りリンクコンポーネントキャリアにおけるＰＵＳＣＨリソースに配置し、基地局装置１００へ送信する。
【０１４７】
また、基地局装置１００によって、チャネル状態情報の送信指示を含むＰＤＣＣＨを使用してＵＣＣ２におけるＰＵＳＣＨリソースが割り当てられ、周期的なチャネル状態情報の送信と非周期的なチャネル状態情報の送信が、同一サブフレームで発生した移動局装置２００は、周期的なチャネル状態情報と非周期的なチャネル状態情報をともに、基地局装置１００によって割り当てられたＵＣＣ２におけるＰＵＳＣＨリソースに配置して、基地局装置１００へ送信する。
【０１４８】
すなわち、移動局装置２００は、基地局装置１００によって設定されたプライマリ上りリンクコンポーネントキャリアにおけるＰＵＣＣＨリソースに配置して送信しようとしていた周期的なチャネル状態情報を、非周期的なチャネル状態情報とともに、セカンダリ上りリンクコンポーネントキャリアにおけるＰＵＳＣＨリソースに配置し、基地局装置１００へ送信する。この際、基地局装置１００は、ＵＣＣ１におけるＰＵＳＣＨリソースを移動局装置２００へ割り当てていない。すなわち、基地局装置１００は、プライマリ上りリンクコンポーネントキャリアにおけるＰＵＳＣＨリソースを移動局装置２００へ割り当てていない。
【０１４９】
また、基地局装置１００によって、チャネル状態情報の送信指示を含むＰＤＣＣＨを使用してＵＣＣ１におけるＰＵＳＣＨリソースが、チャネル状態情報の送信指示を含まないＰＤＣＣＨを使用してＵＣＣ２におけるＰＵＳＣＨリソースが、同一サブフレームで割り当てられ、周期的なチャネル状態情報の送信と非周期的なチャネル状態情報の送信が、同一サブフレームで発生した移動局装置２００は、周期的なチャネル状態情報と非周期的なチャネル状態情報をともに、基地局装置１００によって割り当てられたＵＣＣ１におけるＰＵＳＣＨリソースに配置して、基地局装置１００へ送信する。
【０１５０】
すなわち、移動局装置２００は、基地局装置１００によって設定されたプライマリ上りリンクコンポーネントキャリアにおけるＰＵＣＣＨリソースに配置して送信しようとしていた周期的なチャネル状態情報を、非周期的なチャネル状態情報とともに、プライマリ上りリンクコンポーネントキャリアにおけるＰＵＳＣＨリソースに配置し、基地局装置１００へ送信する。
【０１５１】
また、基地局装置１００によって、チャネル状態情報の送信指示を含まないＰＤＣＣＨを使用してＵＣＣ１におけるＰＵＳＣＨリソースが、チャネル状態情報の送信指示を含むＰＤＣＣＨを使用してＵＣＣ２におけるＰＵＳＣＨリソースが、同一サブフレームで割り当てられ、周期的なチャネル状態情報の送信と非周期的なチャネル状態情報の送信が、同一サブフレームで発生した移動局装置２００は、周期的なチャネル状態情報と非周期的なチャネル状態情報をともに、基地局装置１００によって割り当てられたＵＣＣ１におけるＰＵＳＣＨリソースに配置して、基地局装置１００へ送信する。
【０１５２】
すなわち、移動局装置２００は、周期的なチャネル状態情報と非周期的なチャネル状態情報をともに、基地局装置１００によって設定されたプライマリ上りリンクコンポーネントキャリアにおけるＰＵＳＣＨリソースに配置して、基地局装置１００へ送信する。
【０１５３】
すなわち、移動局装置２００は、たとえ、セカンダリ上りリンクコンポーネントキャリアにおけるＰＵＳＣＨリソースを割り当てるＰＤＣＣＨにチャネル状態情報の送信指示が含まれていたとしても、基地局装置１００によって、プライマリ上りリンクコンポーネントキャリアにおけるＰＵＳＣＨリソースが割り当てられている場合には、周期的なチャネル状態情報と非周期的なチャネル状態情報をともに、プライマリ上りリンクコンポーネントキャリアにおけるＰＵＳＣＨリソースに配置して、基地局装置１００へ送信する。ここで、移動局装置２００は、基地局装置１００によって割り当てられたＵＣＣ２におけるＰＵＳＣＨリソースに上りリンクデータを配置して、基地局装置１００へ送信することができる。
【０１５４】
また、基地局装置１００によって、チャネル状態情報の送信指示を含むＰＤＣＣＨを使用してＵＣＣ１におけるＰＵＳＣＨリソースが、チャネル状態情報の送信指示を含むＰＤＣＣＨを使用してＵＣＣ２におけるＰＵＳＣＨリソースが、同一サブフレームで割り当てられ、周期的なチャネル状態情報の送信と非周期的なチャネル状態情報の送信が、同一サブフレームで発生した移動局装置２００は、周期的なチャネル状態情報と非周期的なチャネル状態情報をともに、基地局装置１００によって割り当てられたＵＣＣ１におけるＰＵＳＣＨリソースに配置して、基地局装置１００へ送信する。
【０１５５】
すなわち、移動局装置２００は、周期的なチャネル状態情報と（複数の）非周期的なチャネル状態情報をともに、基地局装置１００によって設定されたプライマリ上りリンクコンポーネントキャリアにおけるＰＵＳＣＨリソースに配置して、基地局装置１００へ送信する。例えば、移動局装置２００は、周期的なチャネル状態情報と、異なる下りリンクコンポーネントキャリアにおいて送信された下りリンク信号それぞれに対する非周期的なチャネル状態情報を、基地局装置１００によって設定されたプライマリコンポーネントキャリアにおけるＰＵＳＣＨリソースに配置して、基地局装置１００へ送信する。ここで、移動局装置２００は、ＵＣＣ２におけるＰＵＳＣＨリソースに上りリンクデータを配置して、基地局装置１００へ送信することができる。
【０１５６】
ここで、移動局装置２００は、上りリンクデータ（ＵＬ−ＳＣＨに対するトランスポートブロック）を基地局装置１００へ送信する必要がある場合（バッファに上りリンクデータが存在する場合）には、周期的なチャネル状態情報と非周期的なチャネル状態情報と上りリンクデータを共に、基地局装置１００によって割り当てられたプライマリ上りリンクコンポーネントキャリアにおけるＰＵＳＣＨリソース（ＵＣＣ１）に配置して送信することができる。
【０１５７】
また、移動局装置２００は、上りリンクデータ（ＵＬ−ＳＣＨに対するトランスポートブロック）を基地局装置１００へ送信する必要がある場合（バッファに上りリンクデータが存在する場合）には、周期的なチャネル状態情報と非周期的なチャネル状態情報と上りリンクデータを共に、基地局装置１００によって割り当てられたセカンダリ上りリンクコンポーネントキャリア（ＵＣＣ２）におけるＰＵＳＣＨリソースに配置して送信することができる。
【０１５８】
また、移動局装置２００は、下りリンクデータ（ＤＬ−ＳＣＨに対するトランスポートブロック、ＰＤＳＣＨでも良い）に対するＨＡＲＱにおけるＡＣＫ／ＮＡＣＫを示す情報を基地局装置１００へ送信する必要がある場合には、周期的なチャネル状態情報と非周期的なチャネル状態情報とＡＣＫ／ＮＡＣＫを示す情報を共に、基地局装置１００によって割り当てられたプライマリ上りリンクコンポーネントキャリア（ＵＣＣ１）におけるＰＵＳＣＨリソースに配置して送信することができる。
【０１５９】
また、移動局装置２００は、下りリンクデータ（ＤＬ−ＳＣＨに対するトランスポートブロック、ＰＤＳＣＨでも良い）に対するＨＡＲＱにおけるＡＣＫ／ＮＡＣＫを示す情報を基地局装置１００へ送信する必要がある場合には、周期的なチャネル状態情報と非周期的なチャネル状態情報とＡＣＫ／ＮＡＣＫを示す情報を共に、基地局装置１００によって割り当てられたセカンダリ上りリンクコンポーネントキャリア（ＵＣＣ２）におけるＰＵＳＣＨリソースに配置して送信することができる。
【０１６０】
すなわち、移動局装置２００は、同一サブフレームで、プライマリ上りリンクコンポーネントキャリアにおけるＰＵＳＣＨリソースを含む複数のＰＵＳＣＨリソースが割り当てられた場合には、周期的なチャネル状態情報と非周期的なチャネル状態情報を、基地局装置１００によって割り当てられたプライマリ上りリンクコンポーネントキャリアにおけるＰＵＳＣＨリソースに配置して、基地局装置１００へ送信する。
【０１６１】
また、移動局装置２００は、同一サブフレームで、プライマリ上りリンクコンポーネントキャリアにおけるＰＵＳＣＨリソースを含む複数のＰＵＳＣＨリソースが割り当てられた場合には、上りリンク制御情報を、基地局装置１００によって割り当てられたプライマリ上りリンクコンポーネントキャリアにおけるＰＵＳＣＨリソースに配置して、基地局装置１００へ送信する。
【０１６２】
上述したように、移動局装置２００は、下りリンクコンポーネント毎に送信された下りリンク信号それぞれに対するチャネル状態情報を、サイクリックに、周期的に基地局装置１００へ送信することができる。また、移動局装置２００は、下りリンクコンポーネント毎に送信された下りリンク信号のいずれかに対するチャネル状態情報を、非周期的に基地局装置１００へ送信することができる。
【０１６３】
例えば、図７や図８において、移動局装置２００は、ＤＣＣ１において送信された下りリンク信号に対する周期的なチャネル状態情報と、ＤＣＣ３において送信された下りリンク信号に対する非周期的なチャネル状態情報をともに、基地局装置１００によって割り当てられたＰＵＳＣＨリソースに配置して、基地局装置１００へ送信することができる。また、例えば、移送局装置は、ＤＣＣ４において送信された下りリンク信号に対する周期的なチャネル状態情報と、ＤＣＣ２において送信された下りリンク信号に対する非周期的なチャネル状態情報をともに、基地局装置１００によって割り当てられたＰＵＳＣＨリソースに配置して、基地局装置１００へ送信することができる。
【０１６４】
ここで、移動局装置２００が、周期的なチャネル状態情報を送信する際の送信フォーマット（ＰＵＣＣＨ送信フォーマット、PUCCH based transmission format）と、非周期的なチャネル状態情報を送信する際の送信フォーマット（ＰＵＳＣＨ送信フォーマット、PUCCH based transmission format）は異なっていても良い。例えば、基地局装置１００は、周期的なチャネル状態情報を送信する際の送信フォーマットと非周期的なチャネル状態情報を送信する際の送信フォーマットを別々に、ＲＲＣシグナリングを使用して、移動局装置２００に対して設定することができる。
【０１６５】
また、移動局装置２００によって送信される周期的なチャネル状態情報の情報量（ビット数）と、非周期的なチャネル状態情報の情報量（ビット数）は、異なっていても良い。移動局装置２００は、異なる送信フォーマットを使用して、異なる情報量を持つ周期的なチャネル状態情報、非周期的なチャネル状態情報を、基地局装置１００へ送信する。
【０１６６】
例えば、移動局装置２００は、周期的なチャネル状態情報を送信する際に、非周期的なチャネル状態情報を送信する場合よりも、小さな情報量のチャネル状態情報を送信することができる。また、例えば、移動局装置２００は、周期的なチャネル状態情報を送信する際に、非周期的なチャネル状態情報を送信する場合よりも、大きな情報量のチャネル状態情報を送信することができる。すなわち、移動局装置２００は、情報量（ビット数）の異なる周期的なチャネル状態情報と非周期的なチャネル状態情報をともに、基地局装置１００によって割り当てられたＰＵＳＣＨリソースに配置して、基地局装置１００へ送信することができる。
【０１６７】
同様に、例えば、図７や図８において、移動局装置２００は、ＤＣＣ１において送信された下りリンク信号に対する非周期的なチャネル状態情報と、ＤＣＣ３において送信された下りリンク信号に対する非周期的なチャネル状態情報をともに、基地局装置１００によって割り当てられたＰＵＳＣＨリソースに配置して、基地局装置１００へ送信することができる。また、例えば、移送局装置は、ＤＣＣ４において送信された下りリンク信号に対する非周期的なチャネル状態情報と、ＤＣＣ２において送信された下りリンク信号に対する非周期的なチャネル状態情報をともに、基地局装置１００によって割り当てられたＰＵＳＣＨリソースに配置して、基地局装置１００へ送信することができる。
【０１６８】
ここで、移動局装置２００が、（複数の）非周期的なチャネル状態情報を送信する際のそれぞれの送信フォーマット（ＰＵＳＣＨ送信フォーマット、PUCCH based transmission format）は異なっていても良い。例えば、基地局装置１００は、異なる下りリンクコンポーネントキャリアにおいて送信された下りリンク信号それぞれに対する非周期的なチャネル状態情報を送信する際の送信フォーマットを別々に、ＲＲＣシグナリングを使用して、移動局装置２００に対して設定することができる。
【０１６９】
また、移動局装置２００によって送信される、異なる下りリンクコンポーネントキャリアにおいて送信された下りリンク信号に対する非周期的なチャネル状態情報それぞれの情報量（ビット数）は、異なっていても良い。移動局装置２００は、異なる送信フォーマットを使用して、異なる情報量を持つ複数の非周期的なチャネル状態情報を、基地局装置１００へ送信する。
【０１７０】
例えば、移動局装置２００は、ある下りリンクコンポーネントキャリアにおいて送信された下りリンク信号に対する非周期的なチャネル状態情報を送信する際に、ある下りリンクコンポーネントキャリアとは異なる下りリンクコンポーネントキャリアにおいて送信された下りリンク信号に対する非周期的なチャネル状態情報を送信する場合よりも、小さな情報量のチャネル状態情報を送信することができる。また、例えば、移動局装置２００は、ある下りリンクコンポーネントキャリアにおいて送信された下りリンク信号に対する非周期的なチャネル状態情報を送信する際に、ある下りリンクコンポーネントキャリアとは異なる下りリンクコンポーネントキャリアにおいて送信された下りリンク信号に対する非周期的なチャネル状態情報を送信する場合よりも、大きな情報量のチャネル状態情報を送信することができる。
【０１７１】
すなわち、移動局装置２００は、情報量（ビット数）の異なる複数の非周期的なチャネル状態情報をともに、基地局装置１００によって割り当てられたＰＵＳＣＨリソースに配置して、基地局装置１００へ送信することができる。
【０１７２】
図５は、移動局装置２００が、基地局装置１００によって割り当てられたＰＵＳＣＨリソースに、周期的なチャネル状態（縦線で示される）と非周期的なチャネル状態情報（斜線で示される）を配置する際の例を示している。図５では、周期的なチャネル状態と非周期的なチャネル状態情報に加えて、上りリンクデータ（ＵＬ−ＳＣＨに対するトランスポートブロック）（白塗りで示される）も、ＰＵＳＣＨリソースに配置されていることを示している。また、図５では、ＰＵＳＣＨリソースに配置されるＤＭＲＳ（塗りつぶしで示される）も示されている。
【０１７３】
図５に示すように、移動局装置２００は、周期的なチャネル状態情報と非周期的なチャネル状態情報をともに、ＰＵＳＣＨリソースに配置する場合、まず、周期的なチャネル状態情報を、時間軸方向（ＤＦＴ前の行列における行インデックスの方向）に配置し、時間軸方向の全ての領域（例えば、全てのＤＦＴ−Ｓ−ＯＦＤＭシンボル）に配置された後（ＤＭＲＳを除く１２個のＤＦＴ−Ｓ−ＯＦＤＭシンボルに周期的なチャネル状態情報が配置された後）に、周波数軸の方向（ＤＦＴ前の行列における列インデックスの方向）に配置する（タイム・ファースト・マッピングと呼称される）。
【０１７４】
続いて、移動局装置２００は、非周期的なチャネル状態情報を、時間軸方向に配置し、時間軸方法の全ての領域に配置された後に、周波数軸の方向に配置する。さらに、移動局装置２００は、上りリンクデータを、時間軸方向に配置し、時間軸方向の全ての領域に配置された後に、周波数軸の方向に配置する。ここで、この行列は、リソースエレメントの配置と同様の構成になっているが、最終的にこの行列に対してＤＦＴ処理が行われるため周波数方向には、拡散されることになる。
【０１７５】
このように、移動局装置２００が、周期的なチャネル状態情報と非周期的なチャネル状態情報と上りリンクデータをともに、基地局装置１００によって割り当てられたＰＵＳＣＨリソースに配置することによって、基地局装置１００が、周期的なチャネル状態情報と非周期的なチャネル状態情報と上りリンクデータを抽出する際の、抽出処理を容易にすることができる。ここで、図５では、例として、移動局装置２００が、最初に、周期的なチャネル状態情報をＰＵＳＣＨリソースに配置し、続いて、非周期的なチャネル状態情報をＰＵＳＣＨリソースに配置し、続いて、上りリンクデータをＰＵＳＣＨリソースに配置しているが、この順番はどのような順番であっても良い。
【０１７６】
同様に、図６は、移動局装置２００が、基地局装置１００によって割り当てられたＰＵＳＣＨリソースに、複数の非周期的なチャネル状態（それぞれ縦線、斜線で示される）を配置する際の例を示している。図５と同様に、図６には、ＰＵＳＣＨリソースに配置される上りリンクデータ（ＵＬ−ＳＣＨに対するトランスポートブロック）（白塗りで示される）、ＤＭＲＳ（塗りつぶしで示される）も示されている。
【０１７７】
図６に示されるように、移動局装置２００は、複数の下りリンクコンポーネントキャリアで送信された下りリンク信号それぞれに対する複数の非周期的なチャネル状態情報と上りリンクデータをともに、ＰＵＳＣＨリソースに配置する場合、例えば、まず、チャネル状態情報の送信指示を含んだＰＤＣＣＨに付与されたインデックスの小さい方（大きい方）から順に、非周期的なチャネル状態情報を、時間軸方向（ＤＦＴ前の行列における行インデックスの方向）に配置し、時間軸方向の全ての領域（例えば、全てのＤＦＴ−Ｓ−ＯＦＤＭシンボル）に配置された後（ＤＭＲＳを除く１２個のＤＦＴ−Ｓ−ＯＦＤＭシンボルに周期的なチャネル状態情報が配置された後）に、周波数軸の方向（ＤＦＴ前の行列における列インデックスの方向）に配置する。
【０１７８】
続いて、移動局装置２００は、上りリンクデータを、時間軸方向に配置し、時間軸方向の全ての領域に配置された後に、周波数軸の方向に配置する。図５と同様に、図６にしめされる行列は、リソースエレメントの配置と同様の構成になっているが、最終的にこの行列に対してＤＦＴ処理が行われるため周波数方向には、拡散されることになる。
【０１７９】
このように、移動局装置２００が、複数の非周期的なチャネル状態情報と上りリンクデータをともに、基地局装置１００によって割り当てられたＰＵＳＣＨリソースに配置することによって、基地局装置１００が、複数の非周期的なチャネル状態情報と上りリンクデータの抽出する際の、抽出処理を容易にすることができる。ここで、図６では、例として、移動局装置２００が、チャネル状態情報の送信指示を含んだＰＤＣＣＨに付与されたインデックスが小さい方から順に、複数の非周期的なチャネル状態情報を配置しているが、非周期的なチャネル状態情報が配置される順番は、これ以外の方法で定義されても良い。
【０１８０】
例えば、移動局装置２００は、複数の非周期的なチャネル状態情報を、生成したチャネル状態情報に対する下りリンクコンポーネントキャリアに付与されたインデックスが小さい方（大きい方）から順に配置しても良い。移動局装置２００が、複数の非周期的なチャネル状態情報をＰＵＳＣＨリソースに配置する順番は、例えば、仕様等によって、ある特定の順番が規定される。基地局装置１００と移動局装置２００の間で、複数の非周期的なチャネル状態情報のＰＵＳＣＨリソースへの配置方法を事前に規定し、既知としておくことによって、基地局装置１００が、ＰＵＳＣＨリソースへの配置方法を指示するための制御信号を移動局装置２００へ送信する必要がなく、複数の非周期的なチャネル状態情報と上りリンクデータの抽出する際の、抽出処理を容易にすることができる。
【０１８１】
上記までに示したように、基地局装置１００と移動局装置２００が、複数のコンポーネントキャリアを複合的に使用して広帯域な周波数帯域で通信を行う際に、移動局装置２００が、基地局装置１００によって設定されたある特定の上りリンクコンポーネントキャリアにおけるＰＵＳＣＨリソースが割り当てられている場合には、非周期的なチャネル状態情報を、ある特定の上りリンクコンポーネントキャリアにおけるＰＵＳＣＨリソースに配置して、基地局装置１００へ送信することによって、基地局装置１００による非周期的なチャネル状態情報の抽出処理を容易とすることができる。
【０１８２】
また、移動局装置２００が、基地局装置１００によって設定されたある特定の上りリンクコンポーネントキャリアにおけるＰＵＳＣＨリソースが割り当てられている場合には、周期的なチャネル状態情報と非周期的なチャネルを、ある特定の上りリンクコンポーネントキャリアにおけるＰＵＳＣＨリソースに配置して、基地局装置１００へ送信することによって、基地局装置１００による非周期的なチャネル状態情報の抽出処理を容易とすることができる。
【０１８３】
基地局装置１００は、移動局装置２００から送信される非周期的なチャネル状態情報に基づいて、効率的な下りリンクのスケジューリングを行うことができる。さらに、基地局装置１００は、移動局装置２００から送信される周期的なチャネル状態情報、非周期的なチャネル状態情報に基づいて、効率的な下りリンクのスケジューリングを行うことができる。
【０１８４】
以上説明した実施形態は、基地局装置１００および移動局装置２００に搭載される集積回路にも適用される。また、以上説明した実施形態において、基地局装置１００内の各機能や、移動局装置２００内の各機能を実現するためのプログラムをコンピュータ読み取り可能な記録媒体に記録して、この記録媒体に記録されたプログラムをコンピュータシステムに読み込ませ、実行することにより基地局装置１００や移動局装置２００の制御を行なっても良い。なお、ここでいう「コンピュータシステム」とは、ＯＳや周辺機器等のハードウェアを含むものとする。
【０１８５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１８６】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１８７】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2011244397.tif 000003
【図２】
2011244397.tif 000004
【図３】
2011244397.tif 000005
【図４】
2011244397.tif 000006
【図５】
2011244397.tif 000007
【図６】
2011244397.tif 000008
【図７】
2011244397.tif 000009
【図８】
2011244397.tif 000010
【図９】
2011244397.tif 000011